(57)【要約】【課題】複雑な演算等を行うことなく、精度のよいプリンタのキャリブレーションを実現する。【解決手段】イエロー（Ｙ）、マゼンタ（Ｍ）、シアン（Ｃ）、黒（Ｋ）、オレンジ（ＯＲ）、グリーン（ＧＲ）の各色基準画像が形成されたスキャナ調整用チャートＣＡを、スキャナ１０で赤（Ｒ）、緑（Ｇ）、青（Ｂ）のカラー画像として読み取り、各色基準画像の読み取り結果に基づき、画像色と補色成分の読み取り出力との関係から各色のスキャナ補正ＬＵＴを作成する。そして、プリンタ２０で各色テスト画像が形成されたテストチャートＣＢを、スキャナ１０でＲＧＢのカラー画像として読み取り、各色テスト画像の読み取り結果を各色のスキャナ補正ＬＵＴで補正した結果に基づき、プリンタ２０における各色のプリンタ補正ＬＵＴを作成する。【選択図】図１
2008141532.tif 000002
【特許請求の範囲】
【請求項１】
イエロー、マゼンタ、およびシアン各色の基準画像が形成された基準チャートを、赤、緑、および青のカラー画像として読み取る読み取り手段と、
前記基準チャートを前記読み取り手段で読み取って得られた結果に基づいて、イエローの基準画像の濃度と青の読み取り出力とを対応付けた第１の特性、マゼンタの基準画像の濃度と緑の読み取り出力とを対応付けた第２の特性、およびシアンの基準画像の濃度と赤の読み取り出力とを対応付けた第３の特性を把握する把握手段と、
前記第１の特性からイエローの画像の濃度と青の読み取り出力との関係を補正するための第１の補正特性を決定し、前記第２の特性からマゼンタの画像の濃度と緑の読み取り出力との関係を補正するための第２の補正特性を決定し、前記第３の特性からシアンの画像の濃度と赤の読み取り出力との関係を補正するための第３の補正特性を決定する決定手段と
を含む読み取り特性補正装置。
【請求項２】
イエローの画像の濃度と青の読み取り出力との標準的な関係を示す第１の標準特性、マゼンタの画像の濃度と緑の読み取り出力との標準的な関係を示す第２の標準特性、およびシアンの画像の濃度と赤の読み取り出力との標準的な関係を示す第３の標準特性を記憶する標準特性記憶手段をさらに含み、
前記決定手段は、前記第１の特性および前記第１の標準特性から前記第１の補正特性を決定し、前記第２の特性および前記第２の標準特性から前記第２の補正特性を決定し、前記第３の特性および前記第３の標準特性から前記第３の補正特性を決定すること
を特徴とする請求項１記載の読み取り特性補正装置。
【請求項３】
前記基準チャートは、イエロー、マゼンタ、シアンの他に黒の基準画像をさらに含み、
前記把握手段は、前記基準チャートを前記読み取り手段で読み取って得られた結果に基づいて、黒の基準画像の濃度と赤、緑、または青の読み取り出力とを対応付けた第４の特性をさらに把握し、
前記決定手段は、前記第４の特性から黒の画像の濃度と赤、緑、または青の読み取り出力との関係を補正するための第４の補正特性をさらに決定すること
を特徴とする請求項１記載の読み取り特性補正装置。
【請求項４】
前記基準チャートは、イエロー、マゼンタ、シアン、および黒以外の特色の基準画像をさらに含み、
前記把握手段は、前記基準チャートを前記読み取り手段で読み取って得られた結果に基づいて、特色の基準画像と赤、緑、および青の読み取り出力とを対応付けた第５の特性をさらに把握し、
前記決定手段は、前記第５の特性から特色の画像の濃度と赤、緑、および青の読み取り出力との関係を補正するための第５の補正特性をさらに決定すること
を特徴とする請求項１記載の読み取り特性補正装置。
【請求項５】
前記把握手段は、赤、緑、または青のいずれかの色をキー色として決定し、当該キー色の読み取り出力と当該キー色以外の２色の読み取り出力とを対応付けて前記第５の特性を把握すること
を特徴とする請求項４記載の読み取り特性補正装置。
【請求項６】
前記把握手段は、前記特色の基準画像に対する赤、緑、および青の各読み取り出力に重み付けを行って前記第５の特性を把握すること
を特徴とする請求項４記載の読み取り特性補正装置。
【請求項７】
原稿の画像をカラー画像として読み取るスキャナと、
記録材に複数色の色材を用いてカラー画像を形成するプリンタと、
前記複数色の色材と同色の基準画像が形成された第１のチャートと、
前記第１のチャートを前記スキャナで読み取って得られた第１のカラー画像データから、前記基準画像を構成する各色の濃度と当該各色の補色に対応する読み取り出力とを対応付けたスキャナ入出力特性を取得し、当該スキャナ入出力特性を補正するためのスキャナ補正特性を設定するスキャナ補正特性設定部と、
前記プリンタにて前記複数色の色材を用いて作成された第２のチャートと、
前記第２のチャートを前記スキャナで読み取って得られた第２のカラー画像データおよび前記スキャナ補正特性設定部にて設定された前記スキャナ補正特性に基づき、前記プリンタにおけるプリンタ入出力特性を補正するためのプリンタ補正特性を設定するプリンタ補正特性設定部と
を含む画像形成システム。
【請求項８】
前記スキャナは、赤、緑、および青の波長領域で読み取りを行い、
前記プリンタは、前記複数色の色材としてイエローの色材、マゼンタの色材、およびシアンの色材を用いることを特徴とする請求項７記載の画像形成システム。
【請求項９】
前記スキャナ補正特性設定部は、前記スキャナ入出力特性として、イエローの基準画像の濃度と当該イエローの基準画像を読み取って得られた青の読み取り出力とを対応付け、マゼンタの基準画像の濃度と当該マゼンタの基準画像を読み取って得られた緑の読み取り出力とを対応付け、シアンの基準画像の濃度と当該シアンの基準画像を読み取って得られた赤の読み取り出力とを対応付けることを特徴とする請求項８記載の画像形成システム。
【請求項１０】
前記プリンタは、前記複数色の色材として黒の色材をさらに用い、
前記スキャナ補正特性設定部は、前記スキャナ入出力特性として、黒の基準画像の濃度と当該黒の基準画像を読み取って得られた赤、緑、または青の読み取り出力とを対応付けることを特徴とする請求項８記載の画像形成システム。
【請求項１１】
前記プリンタは、前記複数色の色材としてイエロー、マゼンタ、シアン、および黒以外の特色の色材をさらに用い、
前記スキャナ補正特性設定部は、前記スキャナ入出力特性として、特色の基準画像の濃度と当該特色の基準画像を読み取って得られた赤、緑、および青の読み取り出力を合成して得られた当該特色の補色成分の読み取り出力とを対応付けることを特徴とする請求項８記載の画像形成システム。
【請求項１２】
前記スキャナ補正特性設定部は、前記スキャナ入出力特性として、前記特色の基準画像を読み取って得られた赤、緑、および青の読み取り出力のうち、当該特色の基準画像の濃度変化に対する読み取り出力の変化が最も敏感な色を特徴色として決定し、当該特徴色の読み取り出力と当該特徴色以外の２色の読み取り出力とを対応付けることによって当該特色の補色成分の読み取り出力を作成することを特徴とする請求項１１記載の画像形成システム。
【請求項１３】
複数色の色材と同色の基準画像が形成された第１のチャートをスキャナにてカラー画像として読み取るステップと、
前記第１のチャートを読み取って得られた第１のカラー画像データから、前記基準画像を構成する各色の濃度と当該各色の補色に対応する読み取り出力とを対応付けたスキャナ入出力特性を取得し、当該スキャナ入出力特性を補正するためのスキャナ補正特性を設定するステップと、
前記複数色の色材を用いて第２のチャートをプリンタにて形成するステップと、
前記第２のチャートを前記スキャナにてカラー画像として読み取るステップと、
前記第２のチャートを読み取って得られた第２のカラー画像データおよび設定された前記スキャナ補正特性に基づき、前記プリンタにおけるプリンタ入出力特性を補正するためのプリンタ補正特性を設定するステップと
を含むキャリブレーション方法。
【発明の詳細な説明】
【技術分野】
【０００１】
本発明は、読み取り特性補正装置、画像形成システム、およびキャリブレーション方法に関する。
【背景技術】
【０００２】
トナーやインク等の色材を用いてカラー画像を形成するカラープリンタでは、カラープリンタを構成する部材の経時変化や環境変化に伴って、出力される色の再現性に変化が生じる。そこで、カラープリンタにおける色再現性を一定に維持する目的で、プリンタキャリブレーションと呼ばれるセットアップ動作が行われる。
【０００３】
このようなプリンタキャリブレーションの手法として、例えば、対象となるカラープリンタにて各色トナーを用いて作成したテストパターンを出力し、このテストパターンをスキャナにて読み取り、その読み取り結果に基づいて各色に対する補正テーブル（階調補正プロファイル）を決定するものが知られている。そして、補正テーブルの作成にあたって、例えばスキャナによるテストパターンの読み取り結果を標準色空間信号に変換する際の変換パラメータを、読み取りに使用したスキャナに対応するプロファイルに変更することで、スキャナ固有の読み取り特性の影響を低減する技術が提案されている（例えば特許文献１参照。）。
【０００４】
【特許文献１】特開２０００−２５３２６８号公報
【発明の開示】
【発明が解決しようとする課題】
【０００５】
本発明は、上述した技術を背景としてなされたものであり、その目的とするところは、複雑な演算等を行うことなく、精度のよいプリンタのキャリブレーションを実現することにある。
【課題を解決するための手段】
【０００６】
かかる目的のもと、本発明が適用される読み取り特性補正装置は、イエロー、マゼンタ、およびシアン各色の基準画像が形成された基準チャートを、赤、緑、および青のカラー画像として読み取る読み取り手段と、基準チャートを読み取り手段で読み取って得られた結果に基づいて、イエローの基準画像の濃度と青の読み取り出力とを対応付けた第１の特性、マゼンタの基準画像の濃度と緑の読み取り出力とを対応付けた第２の特性、およびシアンの基準画像の濃度と赤の読み取り出力とを対応付けた第３の特性を把握する把握手段と、第１の特性からイエローの画像の濃度と青の読み取り出力との関係を補正するための第１の補正特性を決定し、第２の特性からマゼンタの画像の濃度と緑の読み取り出力との関係を補正するための第２の補正特性を決定し、第３の特性からシアンの画像の濃度と赤の読み取り出力との関係を補正するための第３の補正特性を決定する決定手段とを含んでいる。
【０００７】
このような読み取り特性補正装置において、イエローの画像の濃度と青の読み取り出力との標準的な関係を示す第１の標準特性、マゼンタの画像の濃度と緑の読み取り出力との標準的な関係を示す第２の標準特性、およびシアンの画像の濃度と赤の読み取り出力との標準的な関係を示す第３の標準特性を記憶する標準特性記憶手段をさらに含み、決定手段は、第１の特性および第１の標準特性から第１の補正特性を決定し、第２の特性および第２の標準特性から第２の補正特性を決定し、第３の特性および第３の標準特性から第３の補正特性を決定することを特徴とすることができる。また、基準チャートは、イエロー、マゼンタ、シアンの他に黒の基準画像をさらに含み、把握手段は、基準チャートを読み取り手段で読み取って得られた結果に基づいて、黒の基準画像の濃度と赤、緑、または青の読み取り出力とを対応付けた第４の特性をさらに把握し、決定手段は、第４の特性から黒の画像の濃度と赤、緑、または青の読み取り出力との関係を補正するための第４の補正特性をさらに決定することを特徴とすることができる。また、基準チャートは、イエロー、マゼンタ、シアン、および黒以外の特色の基準画像をさらに含み、把握手段は、基準チャートを読み取り手段で読み取って得られた結果に基づいて、特色の基準画像と赤、緑、および青の読み取り出力とを対応付けた第５の特性をさらに把握し、決定手段は、第５の特性から特色の画像の濃度と赤、緑、および青の読み取り出力との関係を補正するための第５の補正特性をさらに決定することを特徴とすることができる。この場合に、把握手段は、赤、緑、または青のいずれかの色をキー色として決定し、キー色の読み取り出力とキー色以外の２色の読み取り出力とを対応付けて第５の特性を把握することを特徴とすることができる。また、把握手段は、特色の基準画像に対する赤、緑、および青の各読み取り出力に重み付けを行って第５の特性を把握することを特徴とすることができる。
【０００８】
また、他の観点から捉えると、本発明が適用される画像形成システムは、原稿の画像をカラー画像として読み取るスキャナと、記録材に複数色の色材を用いてカラー画像を形成するプリンタと、複数色の色材と同色の基準画像が形成された第１のチャートと、第１のチャートをスキャナで読み取って得られた第１のカラー画像データから、基準画像を構成する各色の濃度と各色の補色に対応する読み取り出力とを対応付けたスキャナ入出力特性を取得し、スキャナ入出力特性を補正するためのスキャナ補正特性を設定するスキャナ補正特性設定部と、プリンタにて複数色の色材を用いて作成された第２のチャートと、第２のチャートをスキャナで読み取って得られた第２のカラー画像データおよびスキャナ補正特性設定部にて設定されたスキャナ補正特性に基づき、プリンタにおけるプリンタ入出力特性を補正するためのプリンタ補正特性を設定するプリンタ補正特性設定部とを含んでいる。
【０００９】
このような画像形成システムにおいて、スキャナは、赤、緑、および青の波長領域で読み取りを行い、プリンタは、複数色の色材としてイエローの色材、マゼンタの色材、およびシアンの色材を用いることを特徴とすることができる。この場合に、スキャナ補正特性設定部は、スキャナ入出力特性として、イエローの基準画像の濃度とイエローの基準画像を読み取って得られた青の読み取り出力とを対応付け、マゼンタの基準画像の濃度とマゼンタの基準画像を読み取って得られた緑の読み取り出力とを対応付け、シアンの基準画像の濃度とシアンの基準画像を読み取って得られた赤の読み取り出力とを対応付けることを特徴とすることができる。また、プリンタは、複数色の色材として黒の色材をさらに用い、スキャナ補正特性設定部は、スキャナ入出力特性として、黒の基準画像の濃度と黒の基準画像を読み取って得られた赤、緑、または青の読み取り出力とを対応付けることを特徴とすることができる。さらに、プリンタは、複数色の色材としてイエロー、マゼンタ、シアン、および黒以外の特色の色材をさらに用い、スキャナ補正特性設定部は、スキャナ入出力特性として、特色の基準画像の濃度と特色の基準画像を読み取って得られた赤、緑、および青の読み取り出力を合成して得られた特色の補色成分の読み取り出力とを対応付けることを特徴とすることができる。この場合に、スキャナ補正特性設定部は、スキャナ入出力特性として、特色の基準画像を読み取って得られた赤、緑、および青の読み取り出力のうち、特色の基準画像の濃度変化に対する読み取り出力の変化が最も敏感な色を特徴色として決定し、特徴色の読み取り出力と特徴色以外の２色の読み取り出力とを対応付けることによって特色の補色成分の読み取り出力を作成することを特徴とすることができる。
【００１０】
さらに、他の観点から捉えると、本発明が適用されるキャリブレーション方法は、複数色の色材と同色の基準画像が形成された第１のチャートをスキャナにてカラー画像として読み取るステップと、第１のチャートを読み取って得られた第１のカラー画像データから、基準画像を構成する各色の濃度と各色の補色に対応する読み取り出力とを対応付けたスキャナ入出力特性を取得し、スキャナ入出力特性を補正するためのスキャナ補正特性を設定するステップと、複数色の色材を用いて第２のチャートをプリンタにて形成するステップと、第２のチャートをスキャナにてカラー画像として読み取るステップと、第２のチャートを読み取って得られた第２のカラー画像データおよび設定されたスキャナ補正特性に基づき、プリンタにおけるプリンタ入出力特性を補正するためのプリンタ補正特性を設定するステップとを含んでいる。
【発明の効果】
【００１１】
請求項１記載の発明によれば、イエローと青との関係、マゼンタと緑との関係、およびシアンと赤との関係に基づいて、イエロー画像、マゼンタ画像、およびシアン画像に対する補正特性を求めることが可能になるため、例えば標準色空間への色変換などの複雑な演算等を行うことなく、精度のよいプリンタのキャリブレーションを実現することが可能になる。
請求項２記載の発明によれば、各標準特性との関係から各補正特性を求めることが可能になる。
請求項３記載の発明によれば、黒と赤、緑、青のいずれか一つとの関係に基づいて、黒画像に対する補正特性を求めることが可能になる。
請求項４記載の発明によれば、特色と赤、緑、および青との関係に基づいて、特色画像に対する補正特性を求めることが可能になる。
請求項５記載の発明によれば、特色については、赤、緑、および青を、キー色を中心として一つにまとめることができる。
請求項６記載の発明によれば、特色に対する補色成分の色の合成をより正確に行うことが可能になる。
請求項７記載の発明によれば、画像の色とその補色との関係に基づいてスキャナのキャリブレーションおよびプリンタのキャリブレーションを行うようにしたので、複雑な演算等を行うことなく、精度のよいプリンタのキャリブレーションを実現することができる。
請求項８記載の発明によれば、特別なプリンタやスキャナを用いることなく、スキャナキャリブレーションおよびプリンタキャリブレーションを行うことが可能になる。
請求項９記載の発明によれば、イエローと青との関係、マゼンタと緑との関係、およびシアンと赤との関係に基づいて、イエロー画像、マゼンタ画像、およびシアン画像に対する補正特性を求めることが可能になる。
請求項１０記載の発明によれば、さらに黒画像についても、スキャナキャリブレーションおよびプリンタキャリブレーションを実行することが可能になる。
請求項１１記載の発明によれば、さらに特色画像についても、スキャナキャリブレーションおよびプリンタキャリブレーションを実行することが可能になる。
請求項１２記載の発明によれば、特色については、赤、緑、および青を、特徴色を中心として一つにまとめることができる。
請求項１３記載の発明によれば、画像の色とその補色との関係に基づいてスキャナのキャリブレーションおよびプリンタのキャリブレーションを行うようにしたので、複雑な演算等を行うことなく、精度のよいプリンタのキャリブレーションを実現することができる。
【発明を実施するための最良の形態】
【００１２】
以下、添付図面を参照して、本発明を実施するための最良の形態(以下、実施の形態という)について詳細に説明する。
図１は本実施の形態が適用されるプリントシステムの構成例を示している。このプリントシステムは、複写機１およびコンピュータ端末２を備えており、これら複写機１やコンピュータ端末２がネットワーク３を介して接続されている。また、複写機１は、原稿に形成された画像を読み取るスキャナ１０と、用紙上に画像を形成するプリンタ２０とを備えている。なお、スキャナ１０およびプリンタ２０は、図示しない内部ネットワークにて接続されている。ここで、スキャナ１０は原稿の画像をカラーすなわち赤（Ｒ）、緑（Ｇ）、および青（Ｂ）で読み取り可能な構成を備えている。また、プリンタ２０も、用紙上にカラー画像を形成可能な構成を備えている。特に、本実施の形態では、プリンタ２０が、一般的なフルカラー画像の形成に使用されるイエロー（Ｙ）、マゼンタ（Ｍ）、シアン（Ｃ）、黒（Ｋ）の他に、特色としてオレンジ（ＯＲ）およびグリーン（ＧＲ）を加えた６色印刷を行うことができるように構成されている。
【００１３】
このプリントシステムでは、例えばコンピュータ端末２から出力された画像データに基づき、複写機１のプリンタ２０が画像形成を実行するプリント動作を行うことができる。また、複写機１において、スキャナ１０にて原稿を読み取って得られた画像データに基づき、プリンタ２０が画像形成を実行するコピー動作を行うこともできる。
【００１４】
さらに、このプリントシステムでは、プリンタ２０から出力される画像の色再現性を一定に維持するために、必要に応じて、プリンタ２０における入出力特性の補正（以下の説明ではプリンタキャリブレーションと呼ぶ）を実行することができる。プリンタキャリブレーションでは、プリンタ２０によって所定のテストチャートＣＢを出力し、このテストチャートＣＢをスキャナ１０で読み取って得られた読み取り結果に基づき、プリンタ２０における各色の入出力特性の補正を行う。
【００１５】
そして、本実施の形態では、このようなプリンタキャリブレーションの実行に先だって、スキャナ１０における入出力特性の補正（以下の説明ではスキャナキャリブレーションと呼ぶ）を実行することができる。スキャナキャリブレーションでは、スキャナキャリブレーション用に作成されたスキャナ調整用チャートＣＡをスキャナ１０で読み取って得られた読み取り結果に基づき、スキャナ１０における各色の入出力特性の補正を行う。
【００１６】
図２（ａ）は、基準チャートあるいは第１のチャートとしてのスキャナ調整用チャートＣＡの構成例を示している。
スキャナ調整用チャートＣＡは、Ｙ、Ｍ、Ｃ、Ｋ、ＯＲ、ＧＲの各色について、それぞれ８段階の濃度で記録された基準画像ＳＹ、ＳＭ、ＳＣ、ＳＫ、ＳＯＲ、ＳＧＲを有している。ここで、各色の基準画像における各画像の濃度は、図中左側ほど低く右側ほど高い。なお、以下の説明では、各色の基準画像を、必要に応じてイエロー基準画像（イエローの基準画像）ＳＹ、マゼンタ基準画像（マゼンタの基準画像）ＳＭ、シアン基準画像（シアンの基準画像）ＳＣ、黒基準画像（黒の基準画像）ＳＫ、オレンジ基準画像（特色の基準画像）ＳＯＲ、グリーン基準画像（特色の基準画像）ＳＧＲと呼ぶことにする。このスキャナ調整用チャートＣＡは、例えばプリンタ２０以外の印刷機等によって作成することができ、各色の基準画像における各画像の濃度値は既知（例えば図中左側から１％、７％、１５％、３０％、５０％、８０％、９０％、１００％）となっている。
【００１７】
一方、図２（ｂ）は、第２のチャートとしてのテストチャートＣＢの構成例を示している。
テストチャートＣＢは、プリンタ２０を用い、Ｙ、Ｍ、Ｃ、Ｋ、ＯＲ、ＧＲの各色について、それぞれ２４段階の濃度で形成されたテスト画像ＴＹ、ＴＭ、ＴＣ、ＴＫ、ＴＯＲ、ＴＧＲを有している。ここで、テストチャートＣＢでは、各テスト画像において各色のパッチ画像がそれぞれ１２個ずつ２列に形成されており、各色のテスト画像を構成する各画像の濃度は、図中左側ほど低く右側ほど高く、図中上側は低く下側は高い。なお、以下の説明では、必要に応じて、各色のテスト画像を、イエローテスト画像ＴＹ、マゼンタテスト画像ＴＭ、シアンテスト画像ＴＣ、黒テスト画像ＴＫ、オレンジテスト画像ＴＯＲ、グリーンテスト画像ＴＧＲと呼ぶことにする。このテストチャートＣＢは、プリンタ２０にて各色共通の所定の階調値（例えば４〜５％刻みなど）にて作成されているが、各色のテスト画像における各パッチ画像の実際の濃度値は未知である。
なお、プリンタキャリブレーション及びスキャナキャリブレーションの詳細については後述する。
【００１８】
図３は、図１に示すスキャナ１０の構成例を示すブロック図である。
スキャナ１０は、原稿の画像を読み取るセンサ１１および信号処理部１２を備える。そして、読み取り手段として機能するセンサ１１は、Ｒセンサ１１Ｒ、Ｇセンサ１１Ｇ、およびＢセンサ１１Ｂからなる。
ここで、Ｒセンサ１１Ｒ、Ｇセンサ１１Ｇ、およびＢセンサ１１Ｂには、それぞれ異なる波長成分を透過するためのカラーフィルタが装着されており、それぞれが、赤用、緑用、青用のカラーセンサとして機能している。そして、スキャナ１０では、例えば図示しない光源にて原稿の被読み取り面に白色光を照射し、この原稿からの反射光を、これらＲセンサ１１Ｒ、Ｇセンサ１１Ｇ、およびＢセンサ１１Ｂにて受光している。
【００１９】
また、信号処理部１２は、Ｒセンサ１１Ｒから出力されるＲ信号、Ｇセンサ１１Ｇから出力されるＧ信号、およびＢセンサ１１Ｂから出力されるＢ信号に、例えばＡ／Ｄ変換やシェーディング補正などの各種処理を施す。そして、信号処理部１２は、これら各種処理を施して得られたＲＧＢ信号（以下の説明ではスキャナ出力データＳ（Ｒ,Ｇ,Ｂ）と呼ぶ）を出力する。なお、以下の説明では、スキャナ出力データＳを構成する各色の出力を、それぞれ、出力ＩＲ、出力ＩＧ、出力ＩＢと呼ぶ。また、これら出力ＩＲ、出力ＩＧ、出力ＩＢは、例えば８ビットすなわち２５６階調の階調データにて構成される。
【００２０】
図４は、図１に示すプリンタ２０の構成例を示すブロック図である。なお、このプリンタ２０は、電子写真方式によって用紙上に各色トナー像を形成するデジタルカラープリンタである。
プリンタ２０は、色変換部２１、階調補正部２２、作像部２３、スキャナ補正ＬＵＴ設定部２４、およびプリンタ補正ＬＵＴ設定部２５を備える。そして、作像部２３は、Ｙ作像部２３Ｙ、Ｍ作像部２３Ｍ、Ｃ作像部２３Ｃ、Ｋ作像部２３Ｋ、ＯＲ作像部２３ＯＲ、ＧＲ作像部２３ＧＲからなる。
【００２１】
色変換部２１は、コンピュータ端末２やスキャナ１０から入力画像データＤを受け取る。ここで、入力画像データＤとしては、ＲＧＢ各色の色信号を含むＲＧＢデータＤ（Ｒ,Ｇ,Ｂ）、ＹＭＣ各色の色信号を含むＹＭＣデータＤ（Ｙ,Ｍ,Ｃ）、さらにはＹＭＣＫ各色の色信号を含むＹＭＣＫデータＤ（Ｙ,Ｍ,Ｃ,Ｋ）などが挙げられる。なお、コピー動作を行う場合は、スキャナ１０から出力されるスキャナ出力データＳ（Ｒ,Ｇ,Ｂ）がそのままＲＧＢデータＤ（Ｒ,Ｇ,Ｂ）となる。そして、色変換部２１は、この入力画像データＤに色変換処理を施し、Ｙ、Ｍ、Ｃ、Ｋ、ＯＲ、ＧＲの各色の色信号すなわちイエローデータＹ１、マゼンタデータＭ１、シアンデータＣ１、黒データＫ１、オレンジデータＯＲ１、グリーンデータＧＲ１として出力する。ここで、各色のデータは、例えば８ビットすなわち２５６階調の階調データにて構成される。
【００２２】
階調補正部２２は、作像部２３によって出力される画像の濃度の非線形性を補正するため、色変換部２１から入力される各色の階調データにそれぞれ階調補正処理を施し、得られた補正後のイエローデータＹ２、補正後のマゼンタデータＭ２、補正後のシアンデータＣ２、補正後の黒データＫ２、補正後のオレンジデータＯＲ２、補正後のグリーンデータＧＲ２を、対応する色の作像部２３へと出力する。すなわち、階調補正部２２は、プリンタ２０における入出力特性の補正を行っている。なお、階調補正部２２から出力される各色のデータも、８ビットの階調データである。階調補正部２２では、各色データの階調補正を、色毎に設定された１次元のＬＵＴ（Look Up Table）を用いて行っている。各色のＬＵＴ（以下の説明ではプリンタ補正ＬＵＴを呼ぶ）は、それぞれ対応する色に応じたプロファイルを有しており、プリンタキャリブレーションを実行した際にプリンタ補正ＬＵＴ設定部２５にて作成される。
【００２３】
作像部２３すなわちＹ作像部２３Ｙ、Ｍ作像部２３Ｍ、Ｃ作像部２３Ｃ、Ｋ作像部２３Ｋ、ＯＲ作像部２３ＯＲ、ＧＲ作像部２３ＧＲは、それぞれ、階調補正部２２から入力される補正後のイエローデータＹ２、補正後のマゼンタデータＭ２、補正後のシアンデータＣ２、補正後の黒データＫ２、補正後のオレンジデータＯＲ２、補正後のグリーンデータＧＲ２に基づき、対応する色の色材としてのトナーを用いて用紙上にトナー像を形成する。例えばＹ作像部２３Ｙでは、補正後のイエローデータＹ２に基づき、イエローのトナーを用いた作像を実行する。
【００２４】
スキャナ補正特性設定部として機能するスキャナ補正ＬＵＴ設定部２４は、プリンタキャリブレーションの実行に先だって行われるスキャナキャリブレーションにおいて、スキャナ１０から入力されるスキャナ調整用チャートＣＡの読み取り結果である第１のカラー画像データとしてのスキャナ出力データＳ（Ｒ,Ｇ,Ｂ）の入力を受け付ける。また、スキャナ補正ＬＵＴ設定部２４は、スキャナ調整用チャートＣＡの読み取り結果に基づき、プリンタキャリブレーションを行う際にプリンタ補正ＬＵＴ設定部２５で使用されるＹ、Ｍ、Ｃ、Ｋ、ＯＲ、ＧＲ各色のスキャナ補正ＬＵＴ（スキャナ補正特性）を作成、記憶する。
【００２５】
プリンタ補正特性設定部として機能するプリンタ補正ＬＵＴ設定部２５は、プリンタキャリブレーションにおいて、スキャナ１０から入力されるテストチャートＣＢの読み取り結果である第２のカラー画像データとしてのスキャナ出力データＳ（Ｒ,Ｇ,Ｂ）の入力を受け付ける。また、プリンタ補正ＬＵＴ設定部２５は、テストチャートＣＢの読み取り結果に基づき、スキャナ補正ＬＵＴ設定部２４にて設定されたＹ、Ｍ、Ｃ、Ｋ、ＯＲ、ＧＲ各色用のスキャナ補正ＬＵＴを用いて、階調補正部２２で使用するＹ、Ｍ、Ｃ、Ｋ、ＯＲ、ＧＲ各色のプリンタ補正ＬＵＴ（プリンタ補正特性）を作成、記憶する。
【００２６】
図５は、図４に示すスキャナ補正ＬＵＴ設定部２４の構成例を示すブロック図である。
スキャナ補正ＬＵＴ設定部２４は、データ振り分け部３１、現状特性把握部３２、スキャナ補正ＬＵＴ決定部３３、スキャナ補正ＬＵＴ記憶部３４、および標準特性格納部３５を備える。
【００２７】
データ振り分け部３１は、スキャナ１０から入力されるスキャナ調整用チャートＣＡの読み取り結果であるスキャナ出力データＳ（Ｒ,Ｇ,Ｂ）から、６個のデータＹ（Ｂ）、Ｍ（Ｇ）、Ｃ（Ｒ）、Ｋ（Ｇ）、ＯＲ（Ｒ,Ｇ,Ｂ）、ＧＲ（Ｒ,Ｇ,Ｂ）を取り出して振り分ける。なお、以下の説明では、これらを、それぞれイエロー基準データＹ（Ｂ）、マゼンタ基準データＭ（Ｇ）、シアン基準データＣ（Ｒ）、黒基準データＫ（Ｇ）、オレンジ基準データＯＲ（Ｒ,Ｇ,Ｂ）、グリーン基準データＧＲ（Ｒ,Ｇ,Ｂ）と呼ぶことにする。
【００２８】
図６は、図２（ａ）に示すスキャナ調整用チャートＣＡをスキャナ１０で読み取った際のスキャナ出力データＳ（Ｒ,Ｇ,Ｂ）を模式的に示したものである。ここで、図６（ａ）はＲセンサ１１Ｒの出力ＩＲを、図６（ｂ）はＧセンサ１１Ｇの出力ＩＧを、図６（ｃ）はＢセンサ１１Ｂの出力ＩＢを、それぞれ例示している。
図６に示したように、イエロー基準データＹ（Ｂ）はＢセンサ１１Ｂによるイエロー基準画像ＳＹの読み取り結果、マゼンタ基準データＭ（Ｇ）はＧセンサ１１Ｇによるマゼンタ基準画像ＳＭの読み取り結果、シアン基準データＣ（Ｒ）はＲセンサによるシアン基準画像ＳＣの読み取り結果である。また、黒基準データＫ（Ｇ）はＧセンサ１１Ｇによる黒基準画像ＳＫの読み取り結果である。さらに、オレンジ基準データＯＲ（Ｒ,Ｇ,Ｂ）はＲセンサ１１Ｒ、Ｇセンサ１１Ｇ、Ｂセンサ１１Ｂそれぞれによるオレンジ基準画像ＳＯＲの読み取り結果を合わせたものである。さらにまた、グリーン基準データＧＲ（Ｒ,Ｇ,Ｂ）はＲセンサ１１Ｒ、Ｇセンサ１１Ｇ、Ｂセンサ１１Ｂそれぞれによるグリーン基準画像ＳＧＲの読み取り結果を合わせたものである。
【００２９】
また、図５に示すように、把握手段として機能する現状特性把握部３２は、データ振り分け部３１から入力されるＹ、Ｍ、Ｃ、Ｋ、ＯＲ、ＧＲの各色の基準データに基づき、Ｙ、Ｍ、Ｃ、Ｋ、ＯＲ、ＧＲの各色に対するスキャナ１０の現状の入出力特性である現状特性を把握する。また、現状特性把握部３２は、得られたイエロー現状特性（第１の現状特性）Ｙ−Ｂ、マゼンタ現状特性（第２の現状特性）Ｍ−Ｇ、シアン現状特性（第３の現状特性）Ｃ−Ｒ、黒現状特性（第４の現状特性）Ｋ−Ｇ、オレンジ現状特性（第５の現状特性）ＯＲ−ΔＥＯＲ、グリーン現状特性（第５の現状特性）ＧＲ−ΔＥＧＲを出力する。
【００３０】
ここで、図７は、現状特性把握部３２の構成例を示す図である。この現状特性把握部３２は、Ｙ−Ｂ特性取得部４１、Ｍ−Ｇ特性取得部４２、Ｃ−Ｒ特性取得部４３、Ｋ−Ｇ特性取得部４４、ＯＲ−ΔＥＯＲ特性取得部４５、ＧＲ−ΔＥＧＲ特性取得部４６、および基準値格納部４７を備える。
【００３１】
図８は、基準値格納部４７に格納されるＹ、Ｍ、Ｃ、Ｋ、ＯＲ、ＧＲの各色の基準値を例示している。基準値格納部４７は、Ｙ、Ｍ、Ｃ、Ｋの各色については、各色の基準画像を構成する各画像の濃度を格納している。具体的に説明すると、基準値格納部４７は、イエロー基準画像ＳＹを構成する８個の画像の濃度ＤＹ１〜ＤＹ８（第１の標準特性）、マゼンタ基準画像ＳＭを構成する８個の画像の濃度ＤＭ１〜ＤＭ８（第２の標準特性）、シアン基準画像ＳＣを構成する８個の画像の濃度ＤＣ１〜ＤＣ８（第３の標準特性）、および黒基準画像ＳＫを構成する８個の画像の濃度ＤＫ１〜ＤＫ８を格納している。また、基準値格納部４７は、ＯＲ、ＧＲの各色については、各色の基準画像を構成する各画像と白紙との色差(ＣＩＥ−Ｌ*ａ*ｂ*色空間における二色間の距離ΔＥ)を格納している。具体的に説明すると、基準値格納部４７は、オレンジ基準画像ＳＯＲを構成する８個の画像と白紙との色差ΔＥＯＲ１〜ΔＥＯＲ８、グリーン基準画像ＳＧＲを構成する８個の画像と白紙との色差ΔＥＧＲ１〜ＥＧＲ８を格納している。なお、図８では、各基準画像における画像番号の値が大きくなるほど、画像の濃度が高く（あるいは白紙との色差が大きく）なっている。
【００３２】
Ｙ−Ｂ特性取得部４１は、入力されるイエロー基準データＹ（Ｂ）に基づき、イエロー基準画像ＳＹの濃度ＤＹ１〜ＤＹ８とイエロー基準画像ＳＹに対応するＢセンサ１１Ｂの出力ＩＢとの関係をイエロー現状特性Ｙ−Ｂとして出力する。ここで、ＹとＢとは補色関係にあり、イエロー画像の濃度変化に対してはＲＧＢ各色のうちＢセンサ１１Ｂの出力ＩＢが最も敏感に変化する。
【００３３】
Ｍ−Ｇ特性取得部４２は、入力されるマゼンタ基準データＭ（Ｇ）に基づき、マゼンタ基準画像ＳＭの濃度ＤＭ１〜ＤＭ８とマゼンタ基準画像ＳＭに対応するＧセンサ１１Ｇの出力ＩＧとの関係をマゼンタ現状特性Ｍ−Ｇとして出力する。ここで、ＭとＧとは補色関係にあり、マゼンタ画像の濃度変化に対してはＲＧＢ各色のうちＧセンサ１１Ｇの出力ＩＧが最も敏感に変化する。
【００３４】
Ｃ−Ｒ特性取得部４３は、入力されるシアン基準データＣ（Ｒ）に基づき、シアン基準画像ＳＣの濃度ＤＣ１〜ＤＣ８とシアン基準画像ＳＣに対応するＲセンサ１１Ｒの出力ＩＲとの関係をシアン現状特性Ｃ−Ｒとして出力する。ここで、ＣとＲとは補色関係にあり、シアン画像の濃度変化に対してはＲＧＢ各色のうちＲセンサ１１Ｒの出力ＩＲが最も敏感に変化する。
【００３５】
Ｋ−Ｇ特性取得部４４は、入力される黒基準データＫ（Ｇ）に基づき、黒基準画像ＳＫの濃度ＤＫ１〜ＤＫ８と黒基準画像ＳＫに対応するＧセンサ１１Ｇの出力ＩＧとの関係を黒現状特性Ｋ−Ｇとして出力する。なお、黒画像の濃度変化に対しては、Ｒセンサ１１Ｒ、Ｇセンサ１１Ｇ、Ｂセンサ１１Ｂの出力がいずれも敏感に変化するが、本実施の形態では、ＲＧＢの中心波長に対応するＧセンサ１１Ｇの出力ＩＧを利用している。
【００３６】
図９（ａ）は、図７に示すＯＲ−ΔＥＯＲ特性取得部４５の構成例を示している。このＯＲ−ΔＥＯＲ特性取得部４５は、ΔＥＯＲ対応付け部５１、ＯＲ出力演算部５２、およびＯＲ重み付け係数格納部５３を備えている。
【００３７】
ΔＥＯＲ対応付け部５１は、入力されるオレンジ基準データＯＲ（Ｒ,Ｇ,Ｂ）を構成するＲセンサ１１Ｒの出力ＩＲ、Ｇセンサ１１Ｇの出力ＩＧ、Ｂセンサ１１Ｂの出力ＩＢと、基準値格納部４７から入力される色差ΔＥＯＲ（ΔＥＯＲ１〜ΔＥＯＲ８）とを受け付ける。そして、ΔＥＯＲ対応付け部５１は、これら各出力ＩＲ、ＩＧ、ＩＢと色差ΔＥＯＲ１〜ΔＥＯＲ８とをそれぞれ対応付け、得られたオレンジＲ現状特性ＩＲ−ΔＥＯＲ、オレンジＧ現状特性ＩＧ−ΔＥＯＲ、オレンジＢ現状特性ＩＢ−ΔＥＯＲを出力する。
【００３８】
ＯＲ出力演算部５２は、オレンジＲ現状特性ＩＲ−ΔＥＯＲ、オレンジＧ現状特性ＩＧ−ΔＥＯＲ、オレンジＢ現状特性ＩＢ−ΔＥＯＲと、ＯＲ重み付け係数格納部５３から読み出したＲＧＢ各色に対応する重み付け係数Ｗとを用いて演算を行い、得られたオレンジ現状特性ＯＲ−ΔＥＯＲを出力する。
【００３９】
ＯＲ重み付け係数格納部５３は、図９（ｂ）に示すように、ＲＧＢ各色に対応する３つの重み付け係数ＷＲＯＲ、ＷＧＯＲ、ＷＢＯＲを格納している。なお、以下の説明では、各係数をそれぞれ、オレンジＲ係数ＷＲＯＲ、オレンジＧ係数ＷＧＯＲ、オレンジＢ係数ＷＢＯＲと呼ぶ。ここで、ＲＧＢ各色はＯＲに対する補色ではないため、オレンジ画像の濃度変化に対しては、Ｒセンサ１１Ｒ、Ｇセンサ１１Ｇ、Ｂセンサ１１Ｂの出力ＩＲ、ＩＧ、ＩＢがそれぞれ変化する。但し、これらの中では、Ｇセンサ１１Ｇの出力ＩＧが最も敏感に変化する。そこで、本実施の形態では、Ｇセンサ１１Ｇによるオレンジ基準画像ＳＯＲの読み取り結果である出力ＩＧをキー色（特徴色）とし、この出力ＩＧを横軸に、オレンジＲ係数ＷＲＯＲ、オレンジＧ係数ＷＧＯＲ、オレンジＢ係数ＷＢＯＲを縦軸に、それぞれとったＬＵＴ（Look Up Table）を用いている。なお、各係数は、出力ＩＧの各階調において、ＷＲＯＲ＋ＷＧＯＲ＋ＷＢＯＲ＝１となるように決定されている。
【００４０】
そして、ＯＲ出力演算部５２では、オレンジ基準データＯＲ（Ｒ,Ｇ,Ｂ）のうちの出力ＩＧに基づき、図９（ｂ）から対応するオレンジＲ係数ＷＲＯＲ、オレンジＧ係数ＷＧＯＲ、オレンジＢ係数ＷＢＯＲを読み出し、次のような計算式を用いてオレンジ現状特性ＯＲ−ΔＥＯＲにおけるオレンジ補色出力ＩＯＲを求めている。
ＩＯＲ＝ＷＲＯＲ×ＩＲ＋ＷＧＯＲ×ＩＧ＋ＷＢＯＲ×ＩＢ…（１）
【００４１】
図１０（ａ）は、図７に示すＧＲ−ΔＥＧＲ特性取得部４６の構成例を示している。このＧＲ−ΔＥＧＲ特性取得部４６は、ΔＥＧＲ対応付け部６１、ＧＲ出力演算部６２、およびＧＲ重み付け係数格納部６３を備えている。
【００４２】
ΔＥＧＲ対応付け部６１は、入力されるグリーン基準データＧＲ（Ｒ,Ｇ,Ｂ）を構成するＲセンサ１１Ｒの出力ＩＲ、Ｇセンサ１１Ｇの出力ＩＧ、Ｂセンサ１１Ｂの出力ＩＢと、基準値格納部４７から入力される色差ΔＥＧＲ（ΔＥＧＲ１〜ΔＥＧＲ８）とを受け付ける。そして、ΔＥＧＲ対応付け部６１は、これら各出力ＩＲ、ＩＧ、ＩＢと色差ΔＥＧＲ１〜ΔＥＧＲ８とをそれぞれ対応付け、得られたグリーンＲ現状特性ＩＲ−ΔＥＧＲ、グリーンＧ現状特性ＩＧ−ΔＥＧＲ、グリーンＢ現状特性ＩＢ−ΔＥＧＲを出力する。
【００４３】
ＧＲ出力演算部６２は、グリーンＲ現状特性ＩＲ−ΔＥＧＲ、グリーンＧ現状特性ＩＧ−ΔＥＧＲ、グリーンＢ現状特性ＩＢ−ΔＥＧＲと、ＧＲ重み付け係数格納部６３から読み出したＲＧＢ各色に対応する重み付け係数Ｗとを用いて演算を行い、得られたグリーン現状特性ＧＲ−ΔＥＧＲを出力する。
【００４４】
ＧＲ重み付け係数格納部６３は、図１０（ｂ）に示すように、ＲＧＢ各色に対応する３つの重み付け係数ＷＲＧＲ、ＷＧＧＲ、ＷＢＧＲを格納している。なお、以下の説明では、各係数をそれぞれ、グリーンＲ係数ＷＲＧＲ、グリーンＧ係数ＷＧＧＲ、グリーンＢ係数ＷＢＧＲと呼ぶ。ここで、ＲＧＢ各色はＧＲに対する補色ではないため、オレンジ画像の場合と同様、グリーン画像の濃度変化に対しては、Ｒセンサ１１Ｒ、Ｇセンサ１１Ｇ、Ｂセンサ１１Ｂの出力ＩＲ、ＩＧ、ＩＢがそれぞれ変化する。但し、これらの中では、Ｒセンサ１１Ｒの出力ＩＲが最も敏感に変化する。そこで、本実施の形態では、Ｒセンサ１１Ｒによるグリーン基準画像ＳＧＲの読み取り結果である出力ＩＲをキー色（特徴色）とし、この出力ＩＲを横軸に、グリーンＲ係数ＷＲＧＲ、グリーンＧ係数ＷＧＧＲ、グリーンＢ係数ＷＢＧＲを縦軸に、それぞれとったＬＵＴ（Look Up Table）を用いている。なお、各係数は、出力ＩＲの各階調において、ＷＲＧＲ＋ＷＧＧＲ＋ＷＢＧＲ＝１となるように決定されている。
【００４５】
そして、ＧＲ出力演算部６２では、グリーン基準データＧＲ（Ｒ,Ｇ,Ｂ）のうちの出力ＩＲに基づき、図１０（ｂ）から対応するグリーンＲ係数ＷＲＧＲ、グリーンＧ係数ＷＧＧＲ、グリーンＢ係数ＷＢＧＲを読み出し、次のような計算式を用いてグリーン現状特性ＧＲ−ΔＥＧＲにおけるグリーン補色出力ＩＧＲを求めている。
ＩＧＲ＝ＷＲＧＲ×ＩＲ＋ＷＧＧＲ×ＩＧ＋ＷＢＧＲ×ＩＢ…（２）
【００４６】
また、図５に示すように、スキャナ補正ＬＵＴ決定部３３は、現状特性把握部３２から入力されるＹ、Ｍ、Ｃ、Ｋ、ＯＲ、ＧＲの各色の現状特性と、標準特性格納部３５から読み出したＹ、Ｍ、Ｃ、Ｋ、ＯＲ、ＧＲの各色の標準特性とに基づき、Ｙ、Ｍ、Ｃ、Ｋ、ＯＲ、ＧＲの各色に対するスキャナ補正ＬＵＴ（スキャナ補正プロファイル）を決定する。また、スキャナ補正ＬＵＴ決定部３３は、得られたＹスキャナ補正プロファイルＹＬＳ、Ｍスキャナ補正プロファイルＭＬＳ、Ｃスキャナ補正プロファイルＣＬＳ、Ｋスキャナ補正プロファイルＫＬＳ、ＯＲスキャナ補正プロファイルＯＲＬＳ、ＧＲスキャナ補正プロファイルＧＲＬＳを出力する。なお、Ｙ、Ｍ、Ｃ、Ｋ、ＯＲ、ＧＲの各色のスキャナ補正プロファイルは１次元のＬＵＴで構成される。
【００４７】
スキャナ補正ＬＵＴ記憶部３４は、スキャナ補正ＬＵＴ決定部３３から入力されるＹ、Ｍ、Ｃ、Ｋ、ＯＲ、ＧＲの各色のスキャナ補正プロファイルを記憶する。また、スキャナ補正ＬＵＴ記憶部３４は、プリンタ補正ＬＵＴ設定部２５から要求があったときに、これらＹ、Ｍ、Ｃ、Ｋ、ＯＲ、ＧＲの各色のスキャナ補正プロファイルを出力する。
【００４８】
標準特性記憶手段として機能する標準特性格納部３５は、イエロー標準特性ＹＳ、マゼンタ標準特性ＭＳ、シアン標準特性ＣＳ、黒標準特性ＫＳ、オレンジ標準特性ＯＲＳ、グリーン標準特性ＧＲＳを格納する。
ここで、イエロー標準特性ＹＳは、目標とする感度特性を有するスキャナ１０でイエロー基準画像ＳＹを読み取った際の、イエロー基準画像ＳＹの各濃度とイエロー基準画像ＳＹに対するＢセンサ１１Ｂの出力ＩＢとを対応付けたものである。マゼンタ標準特性ＭＳは、目標とする感度特性を有するスキャナ１０でマゼンタ基準画像ＳＭを読み取った際の、マゼンタ基準画像ＳＭの各濃度とマゼンタ基準画像ＳＭに対するＧセンサ１１Ｇの出力ＩＧとを対応付けたものである。シアン標準特性ＣＳは、目標とする感度特性を有するスキャナ１０でシアン基準画像ＳＣを読み取った際の、シアン基準画像ＳＣの各濃度とシアン基準画像ＳＣに対するＲセンサ１１Ｒの出力ＩＲとを対応付けたものである。黒標準特性ＫＳは、目標とする感度特性を有するスキャナ１０で黒基準画像ＳＫを読み取った際の、黒基準画像ＳＫの各濃度と黒基準画像ＳＫに対するＧセンサ１１Ｇの出力ＩＧとを対応付けたものである。オレンジ標準特性ＯＲＳは、目標とする感度特性を有するスキャナ１０でオレンジ基準画像ＳＯＲを読み取った際の、オレンジ基準画像ＳＯＲおよび白紙の各色差とオレンジ基準画像ＳＯＲに対応するＲセンサ１１Ｒ、Ｇセンサ１１Ｇ、Ｂセンサ１１Ｂそれぞれの出力ＩＲ、ＩＧ、ＩＢを図９（ｂ）に示す各重み付け係数Ｗで重み付け演算を行って得られたオレンジ補色出力ＩＯＲとを対応付けたものである。グリーン標準特性ＧＲＳは、目標とする感度特性を有するスキャナ１０でグリーン基準画像ＳＧＲを読み取った際の、グリーン基準画像ＳＧＲおよび白紙の各色差とグリーン基準画像ＳＧＲに対応するＲセンサ１１Ｒ、Ｇセンサ１１Ｇ、Ｂセンサ１１Ｂそれぞれの出力を図１０（ｂ）に示す各重み付け係数Ｗで重み付け演算を行って得られたグリーン補色出力ＩＧＲとを対応付けたものである。
【００４９】
図１１は、決定手段として機能するスキャナ補正ＬＵＴ決定部３３の構成例を示す図である。このスキャナ補正ＬＵＴ決定部３３は、Ｙスキャナ補正ＬＵＴ決定部７１、Ｍスキャナ補正ＬＵＴ決定部７２、Ｃスキャナ補正ＬＵＴ決定部７３、Ｋスキャナ補正ＬＵＴ決定部７４、ＯＲスキャナ補正ＬＵＴ決定部７５、およびＧＲスキャナ補正ＬＵＴ決定部７６を備える。
【００５０】
Ｙスキャナ補正ＬＵＴ決定部７１は、入力されるイエロー現状特性Ｙ−Ｂとイエロー標準特性ＹＳとに基づき、第１の補正特性としてのＹスキャナ補正プロファイルＹＬＳを決定する。Ｍスキャナ補正ＬＵＴ決定部７２は、入力されるマゼンタ現状特性Ｍ−Ｇとマゼンタ標準特性ＭＳとに基づき、第２の補正特性としてのＭスキャナ補正プロファイルＭＬＳを決定する。Ｃスキャナ補正ＬＵＴ決定部７３は、入力されるシアン現状特性Ｃ−Ｒとシアン標準特性ＣＳとに基づき、第３の補正特性としてのＣスキャナ補正プロファイルＣＬＳを決定する。Ｋスキャナ補正ＬＵＴ決定部７４は、入力される黒現状特性Ｋ−Ｇと黒標準特性ＫＳとに基づき、第４の補正特性としてのＫスキャナ補正プロファイルＫＬＳを決定する。ＯＲスキャナ補正ＬＵＴ決定部７５は、入力されるオレンジ現状特性ＯＲ−ΔＥＯＲとオレンジ標準特性ＯＲＳとに基づき、第５の補正特性としてのＯＲスキャナ補正プロファイルＯＲＬＳを決定する。ＧＲスキャナ補正ＬＵＴ決定部７６は、入力されるグリーン現状特性ＧＲ−ΔＥＧＲとグリーン標準特性ＧＲＳとに基づき、第５の補正特性としてのＧＲスキャナ補正プロファイルＧＲＬＳを決定する。
【００５１】
また、図１２は、図４に示すプリンタ補正ＬＵＴ設定部２５の構成例を示すブロック図である。
プリンタ補正ＬＵＴ設定部２５は、データ選択部８１、プリンタ補正ＬＵＴ決定部８２、およびプリンタ補正ＬＵＴ記憶部８３を備える。
【００５２】
データ選択部８１は、スキャナ１０から入力されるテストチャートＣＢの読み取り結果であるスキャナ出力データＳ（Ｒ,Ｇ,Ｂ）から、６個のデータＢ（Ｙ）、Ｇ（Ｍ）、Ｒ（Ｃ）、Ｇ（Ｋ）、Ｒ,Ｇ,Ｂ（ＯＲ）、Ｒ,Ｇ,Ｂ（ＧＲ）を選択して出力する。なお、以下の説明では、これらをそれぞれイエローテストデータＢ（Ｙ）、マゼンタテストデータＧ（Ｍ）、シアンテストデータＲ（Ｃ）、黒テストデータＧ（Ｋ）、オレンジテストデータＲ,Ｇ,Ｂ（ＯＲ）、グリーンテストデータＲ,Ｇ,Ｂ（ＧＲ）と呼ぶことにする。
【００５３】
図１３は、図２（ｂ）に示すテストチャートＣＢをスキャナ１０で読み取った際のスキャナ出力データＳ（Ｒ,Ｇ,Ｂ）を模式的に示したものである。ここで、図１３（ａ）はＲセンサ１１Ｒの出力ＩＲを、図１３（ｂ）はＧセンサ１１Ｇの出力ＩＧを、図１３（ｃ）はＢセンサ１１Ｂの出力ＩＢを、それぞれ例示している。
図１３に示したように、イエローテストデータＢ（Ｙ）はＢセンサ１１Ｂによるイエローテスト画像ＴＹの読み取り結果、マゼンタテストデータＧ（Ｍ）はＧセンサ１１Ｇによるマゼンタテスト画像ＴＭの読み取り結果、シアンテストデータＲ（Ｃ）はＲセンサ１１Ｒによるシアンテスト画像ＴＣの読み取り結果である。また、黒テストデータＧ（Ｋ）はＧセンサ１１Ｇによる黒テスト画像ＴＫの読み取り結果である。さらに、オレンジテストデータＲ,Ｇ,Ｂ（ＯＲ）はＲセンサ１１Ｒ、Ｇセンサ１１Ｇ、Ｂセンサ１１Ｂそれぞれによるオレンジテスト画像ＴＯＲの読み取り結果である。さらにまた、グリーンテストデータＲ,Ｇ,Ｂ（ＧＲ）はＲセンサ１１Ｒ、Ｇセンサ１１Ｇ、Ｂセンサ１１Ｂそれぞれによるグリーンテスト画像ＴＧＲの読み取り結果である。
【００５４】
また、図１２に示すように、プリンタ補正ＬＵＴ決定部８２は、データ選択部８１から入力されてくるＹ、Ｍ、Ｃ、Ｋ、ＯＲ、ＧＲの各色のテストデータと、スキャナ補正ＬＵＴ設定部２４のスキャナ補正ＬＵＴ記憶部３４から読み出したＹ、Ｍ、Ｃ、Ｋ、ＯＲ、ＧＲの各色のスキャナ補正プロファイルとに基づき、Ｙ、Ｍ、Ｃ、Ｋ、ＯＲ、ＧＲの各色に対するプリンタ補正ＬＵＴを決定する。また、プリンタ補正ＬＵＴ決定部８２は、得られたＹプリンタ補正プロファイルＹＬＰ、Ｍプリンタ補正プロファイルＭＬＰ、Ｃプリンタ補正プロファイルＣＬＰ、Ｋプリンタ補正プロファイルＫＬＰ、ＯＲプリンタ補正プロファイルＯＲＬＰ、ＧＲプリンタ補正プロファイルＧＲＬＰを出力する。なお、Ｙ、Ｍ、Ｃ、Ｋ、ＯＲ、ＧＲの各色のプリンタ補正プロファイルは、それぞれ１次元のＬＵＴで構成される。
【００５５】
プリンタ補正ＬＵＴ記憶部８３は、プリンタ補正ＬＵＴ決定部８２から入力されるＹ、Ｍ、Ｃ、Ｋ、ＯＲ、ＧＲの各色のプリンタ補正プロファイルを記憶する。また、プリンタ補正ＬＵＴ記憶部８３は、階調補正部２２から要求があったときに、これらＹ、Ｍ、Ｃ、Ｋ、ＯＲ、ＧＲの各色のプリンタ補正プロファイルを出力する。
【００５６】
図１４は、プリンタ補正ＬＵＴ決定部８２の構成例を示す図である。このプリンタ補正ＬＵＴ決定部８２は、Ｙプリンタ補正ＬＵＴ決定部９１、Ｍプリンタ補正ＬＵＴ決定部９２、Ｃプリンタ補正ＬＵＴ決定部９３、Ｋプリンタ補正ＬＵＴ決定部９４、ＯＲプリンタ補正ＬＵＴ決定部９５、ＧＲプリンタ補正ＬＵＴ決定部９６、および作成階調格納部９７を備える。
【００５７】
作成階調格納部９７は、図２（ｂ）に示すテストチャートＣＢを作成する際のＹ、Ｍ、Ｃ、Ｋ、ＯＲ、ＧＲ各色のテスト画像を作成する際の各画像の作成階調を記憶している。なお、本実施の形態では、プリンタ２０にて８ビットすなわち２５６階調での作像が可能であり、且つ、各色のテスト画像を構成する各画像の階調ステップは共通に設定されている。このため、作成階調格納部９７には各色に共通する２４個の階調データが格納されている。
【００５８】
Ｙプリンタ補正ＬＵＴ決定部９１は、入力されるイエローテストデータＢ（Ｙ）等に基づいてＹプリンタ補正プロファイルＹＬＰを作成する。このＹプリンタ補正ＬＵＴ決定部９１は、Ｙ対応付け部９１ａ、Ｙデータ補正部９１ｂ、およびＹ−ＬＵＴ決定部９１ｃを有する。Ｙ対応付け部９１ａは、入力されるイエローテストデータＢ（Ｙ）と作成階調格納部９７から読み出した階調データとを対応付け、得られたイエローデータＹＤ１を出力する。Ｙデータ補正部９１ｂは、入力されるイエローデータＹＤ１に、スキャナ補正ＬＵＴ記憶部３４から読み出したＹスキャナ補正プロファイルＹＬＳを用いて補正を行い、補正後のイエローデータＹＤ２を出力する。Ｙ−ＬＵＴ決定部９１ｃは、入力される補正後のイエローデータＹＤ２に基づいてＹプリンタ補正プロファイルＹＬＰを作成して出力する。
【００５９】
Ｍプリンタ補正ＬＵＴ決定部９２は、入力されるマゼンタテストデータＧ（Ｍ）等に基づいてＭプリンタ補正プロファイルＭＬＰを作成する。このＭプリンタ補正ＬＵＴ決定部９２は、Ｍ対応付け部９２ａ、Ｍデータ補正部９２ｂ、およびＭ−ＬＵＴ決定部９２ｃを有する。Ｍ対応付け部９２ａは、入力されるマゼンタテストデータＧ（Ｍ）と作成階調格納部９７から読み出した階調データとを対応付け、得られたマゼンタデータＭＤ１を出力する。Ｍデータ補正部９２ｂは、入力されるマゼンタデータＭＤ１に、スキャナ補正ＬＵＴ記憶部３４から読み出したＭスキャナ補正プロファイルＭＬＳを用いて補正を行い、補正後のマゼンタデータＭＤ２を出力する。Ｍ−ＬＵＴ決定部９２ｃは、入力される補正後のマゼンタデータＭＤ２に基づいてＭプリンタ補正プロファイルＹＬＰを作成して出力する。
【００６０】
Ｃプリンタ補正ＬＵＴ決定部９３は、入力されるシアンテストデータＲ（Ｃ）等に基づいてＣプリンタ補正プロファイルＣＬＰを作成する。このＣプリンタ補正ＬＵＴ決定部９３は、Ｃ対応付け部９３ａ、Ｃデータ補正部９３ｂ、およびＣ−ＬＵＴ決定部９３ｃを有する。Ｃ対応付け部９３ａは、入力されるシアンテストデータＲ（Ｃ）と作成階調格納部９７から読み出した階調データとを対応付け、得られたシアンデータＣＤ１を出力する。Ｃデータ補正部９３ｂは、入力されるシアンデータＣＤ１に、スキャナ補正ＬＵＴ記憶部３４から読み出したＣスキャナ補正プロファイルＣＬＳを用いて補正を行い、補正後のシアンデータＣＤ２を出力する。Ｃ−ＬＵＴ決定部９３ｃは、入力される補正後のシアンデータＣＤ２に基づいてＣプリンタ補正プロファイルＣＬＰを作成して出力する。
【００６１】
Ｋプリンタ補正ＬＵＴ決定部９４は、入力される黒テストデータＧ（Ｋ）等に基づいてＫプリンタ補正プロファイルＫＬＰを作成する。このＫプリンタ補正ＬＵＴ決定部９４は、Ｋ対応付け部９４ａ、Ｋデータ補正部９４ｂ、およびＫ−ＬＵＴ決定部９４ｃを有する。Ｋ対応付け部９４ａは、入力される黒テストデータＧ（Ｋ）と作成階調格納部９７から読み出した階調データとを対応付け、得られた黒データＫＤ１を出力する。Ｋデータ補正部９４ｂは、入力される黒データＫＤ１に、スキャナ補正ＬＵＴ記憶部３４から読み出したＫスキャナ補正プロファイルＫＬＳを用いて補正を行い、補正後の黒データＫＤ２を出力する。Ｋ−ＬＵＴ決定部９４ｃは、入力される補正後の黒データＫＤ２に基づいてＫプリンタ補正プロファイルＫＬＰを作成して出力する。
【００６２】
ＯＲプリンタ補正ＬＵＴ決定部９５は、入力されるオレンジテストデータＲ,Ｇ,Ｂ（ＯＲ）等に基づいてＯＲプリンタ補正プロファイルＯＲＬＰを作成する。このＯＲプリンタ補正ＬＵＴ決定部９５は、ＯＲ対応付け部９５ａ、ＯＲデータ補正部９５ｂ、およびＯＲ−ＬＵＴ決定部９５ｃを有する。ＯＲ対応付け部９５ａは、入力されるオレンジテストデータＲ,Ｇ,Ｂ（ＯＲ）と作成階調格納部９７から読み出した階調データとを対応付け、得られたオレンジデータＯＲＤ１を出力する。ＯＲデータ補正部９５ｂは、入力されるオレンジデータＯＲＤ１に、スキャナ補正ＬＵＴ記憶部３４から読み出したＯＲスキャナ補正プロファイルＯＲＬＳを用いて補正を行い、補正後のオレンジデータＯＲＤ２を出力する。ＯＲ−ＬＵＴ決定部９５ｃは、入力される補正後のオレンジデータＯＲＤ２に基づいてＯＲプリンタ補正プロファイルＯＲＬＰを作成して出力する。
【００６３】
ＧＲプリンタ補正ＬＵＴ決定部９６は、入力されるグリーンテストデータＲ,Ｇ,Ｂ（ＧＲ）等に基づいてＧＲプリンタ補正プロファイルＧＲＬＰを作成する。このＧＲプリンタ補正ＬＵＴ決定部９６は、ＧＲ対応付け部９６ａ、ＧＲデータ補正部９６ｂ、およびＧＲ−ＬＵＴ決定部９６ｃを有する。ＧＲ対応付け部９６ａは、入力されるグリーンテストデータＲ,Ｇ,Ｂ（ＧＲ）と作成階調格納部９７から読み出した階調データとを対応付け、得られたグリーンデータＧＲＤ１を出力する。ＧＲデータ補正部９６ｂは、入力されるグリーンデータＧＲＤ１に、スキャナ補正ＬＵＴ記憶部３４から読み出したＧＲスキャナ補正プロファイルＧＲＬＳを用いて補正を行い、補正後のグリーンデータＧＲＤ２を出力する。ＧＲ−ＬＵＴ決定部９６ｃは、入力される補正後のグリーンデータＧＲＤ２に基づいてＧＲプリンタ補正プロファイルＧＲＬＰを作成して出力する。
【００６４】
なお、スキャナ補正ＬＵＴ設定部２４やプリンタ補正ＬＵＴ設定部２５を構成する各部の機能は、ソフトウェアとハードウェア資源とが協働することにより実現される。すなわち、プリンタ２０に設けられた図示しないＣＰＵ(Central Processing Unit)が、これらスキャナ補正ＬＵＴ設定部２４およびプリンタ補正ＬＵＴ設定部２５の各機能を実現するプログラムを、例えばハードディスク等の記憶装置からメインメモリに読み込んで、これらの各機能を実現する。
【００６５】
では、プリンタキャリブレーションの前に行われるスキャナキャリブレーションについて、詳細に説明する。
図１５は、スキャナキャリブレーションにおける処理の流れを示すフローチャートである。
本実施の形態のプリントシステムにおいて、複写機１に設けられたＵＩ（ユーザインタフェース）あるいはコンピュータ端末２からスキャナキャリブレーションの実行指示がなされると、以下の処理が行われる。
複写機１では、まず、スキャナ調整用チャートＣＡがスキャナ１０にセットされる。そして、スキャナ１０は、Ｒセンサ１１Ｒ、Ｇセンサ１１Ｇ、およびＢセンサ１１Ｂを用いてスキャナ調整用チャートＣＡの読み取りを行う（ステップ１０１）。スキャナ調整用チャートＣＡを読み取ることによって得られたスキャナ出力データＳ（Ｒ,Ｇ,Ｂ）は、プリンタ２０のスキャナ補正ＬＵＴ設定部２４に入力される。データ振り分け部３１は、スキャナ出力データＳ（Ｒ,Ｇ,Ｂ）をＹ、Ｍ、Ｃ、Ｋ、ＯＲ、ＧＲ各色の基準データに振り分ける（ステップ１０２）。
【００６６】
次に、Ｙ、Ｍ、Ｃ、Ｋ、ＯＲ、ＧＲ各色の基準データは現状特性把握部３２に入力される。そして、現状特性把握部３２は、Ｙ、Ｍ、Ｃ、Ｋ、ＯＲ、ＧＲ各色の基準データに基づいてＹ、Ｍ、Ｃ、Ｋ、ＯＲ、ＧＲ各色に対するスキャナ１０の現状特性を把握する（ステップ１０３）。
【００６７】
次いで、スキャナ補正ＬＵＴ決定部３３は、標準特性格納部３５からＹ、Ｍ、Ｃ、Ｋ、ＯＲ、ＧＲ各色に対するスキャナ１０の標準特性を取得する（ステップ１０４）。そして、スキャナ補正ＬＵＴ決定部３３は、現状特性把握部３２から入力されてくるＹ、Ｍ、Ｃ、Ｋ、ＯＲ、ＧＲ各色の現状特性と対応する色の標準特性とを用いて、Ｙ、Ｍ、Ｃ、Ｋ、ＯＲ、ＧＲ各色のスキャナ補正プロファイルを作成する（ステップ１０５）。その後、スキャナ補正ＬＵＴ記憶部３４が、得られたＹ、Ｍ、Ｃ、Ｋ、ＯＲ、ＧＲ各色のスキャナ補正プロファイルを記憶し（ステップ１０６）、一連の処理を完了する。
【００６８】
では、上述したスキャナキャリブレーションにおける各部の処理について、より具体的に説明する。
図１６は、上記ステップ１０３において、スキャナ補正ＬＵＴ設定部２４の現状特性把握部３２で実行される処理を説明するための図である。ここで、図１６（ａ）はＹ−Ｂ特性取得部４１から出力されるイエロー現状特性Ｙ−Ｂを、図１６（ｂ）はＭ−Ｇ特性取得部４２から出力されるマゼンタ現状特性Ｍ−Ｇを、図１６（ｃ）はＣ−Ｒ特性取得部４３から出力されるシアン現状特性Ｃ−Ｒを、図１６（ｄ）はＫ−Ｇ特性取得部４４から出力される黒現状特性Ｋ−Ｇを、それぞれ例示している。
【００６９】
Ｙ−Ｂ特性取得部４１は、基準値格納部４７から読み出したイエロー基準画像ＳＹを構成する８個のイエロー基準画像の濃度ＤＹ１〜ＤＹ８（Ｙ濃度）と、Ｂセンサ１１Ｂによるイエロー基準画像ＳＹに対する８個の出力ＩＢ（Ｂ出力）とを対応付ける。次いで、Ｙ−Ｂ特性取得部４１は、ペアリングされたＹ画像の濃度とＢ出力との複数の交点を通過する曲線を作成し、図１６（ａ）に示すイエロー現状特性Ｙ−Ｂを得る。なお、イエロー現状特性Ｙ−Ｂにおいて、Ｙ濃度が低い領域ではＢ出力が高くなり、Ｙ濃度が高い領域ではＢ出力が低くなる。
【００７０】
Ｍ−Ｇ特性取得部４２は、基準値格納部４７から読み出したマゼンタ基準画像ＳＭを構成する８個のマゼンタ基準画像の濃度ＤＭ１〜ＤＭ８（Ｍ濃度）と、Ｇセンサ１１Ｇによるマゼンタ基準画像ＳＭに対する８個の出力ＩＧ（Ｇ出力）とを対応付ける。次いで、Ｍ−Ｇ特性取得部４２は、ペアリングされたＭ画像の濃度とＧ出力との複数の交点を通過する曲線を作成し、図１６（ｂ）に示すマゼンタ現状特性Ｍ−Ｇを得る。なお、マゼンタ現状特性Ｍ−Ｇにおいて、Ｍ濃度が低い領域ではＧ出力が高くなり、Ｍ濃度が高い領域ではＧ出力が低くなる。
【００７１】
Ｃ−Ｒ特性取得部４３は、基準値格納部４７から読み出したシアン基準画像ＳＣを構成する８個のシアン基準画像の濃度ＤＣ１〜ＤＣ８（Ｃ濃度）と、Ｒセンサ１１Ｒによるシアン基準画像ＳＣに対する８個の出力ＩＲ（Ｒ出力）とを対応付ける。次いで、Ｃ−Ｒ特性取得部４３は、ペアリングされたＣ画像の濃度とＲ出力との複数の交点を通過する曲線を作成し、図１６（ｃ）に示すシアン現状特性Ｃ−Ｒを得る。なお、シアン現状特性Ｃ−Ｒにおいて、Ｃ濃度が低い領域ではＲ出力が高くなり、Ｃ濃度が高い領域ではＲ出力が低くなる。
【００７２】
Ｋ−Ｇ特性取得部４４は、基準値格納部４７から読み出した黒基準画像ＳＫを構成する８個の黒基準画像の濃度ＤＫ１〜ＤＫ８（Ｋ濃度）と、Ｇセンサ１１Ｇによる黒基準画像ＳＫに対する８個の出力ＩＧ（Ｇ出力）とを対応付ける。次いで、Ｋ−Ｇ特性取得部４４は、ペアリングされたＫ画像の濃度とＧ出力との複数の交点を通過する曲線を作成し、図１６（ｄ）に示す黒現状特性Ｋ−Ｇを得る。なお、黒現状特性Ｋ−Ｇにおいて、Ｋ濃度が低い領域ではＧ出力が高くなり、Ｋ濃度が高い領域ではＧ出力が低くなる。
【００７３】
また、図１７は、上記ステップ１０３において現状特性把握部３２のＯＲ−ΔＥＯＲ特性取得部４５で実行される処理を説明するための図である。ここで、図１７（ａ）はオレンジ基準画像ＳＯＲ、オレンジ基準データＯＲ（Ｒ,Ｇ,Ｂ）におけるセンサ出力、および対応する重み付け係数Ｗの関係を示す図表であり、図１７（ｂ）はＯＲ−ΔＥＯＲ特性取得部４５から出力されるオレンジ現状特性ＯＲ−ΔＥＯＲを例示している。
【００７４】
ＯＲ−ΔＥＯＲ特性取得部４５のΔＥＯＲ対応付け部５１は、基準値格納部４７から読み出したオレンジ基準画像ＳＯＲを構成する８個の画像と白紙との色差ΔＥＯＲ１〜ΔＥＯＲ８（ＯＲ色差）と、Ｒセンサ１１Ｒによるオレンジ基準画像ＳＯＲに対する８個の出力ＩＲ（具体的にはＩＲＯＲ１〜ＩＲＯＲ８：Ｒ出力）とを対応付けてオレンジＲ現状特性ＩＲ−ΔＥＯＲを得る。また、ΔＥＯＲ対応付け部５１は、色差ΔＥＯＲ１〜ΔＥＯＲ８と、Ｇセンサ１１Ｇによるオレンジ基準画像ＳＯＲに対する８個の出力ＩＧ（具体的にはＩＧＯＲ１〜ＩＧＯＲ８：Ｇ出力）とを対応付けて、オレンジＧ現状特性ＩＧ−ΔＥＯＲを得る。さらに、ΔＥＯＲ対応付け部５１は、色差ΔＥＯＲ１〜ΔＥＯＲ８と、Ｂセンサ１１Ｂによるオレンジ基準画像ＳＯＲに対する８個の出力ＩＢ（具体的にはＩＢＯＲ１〜ＩＢＯＲ８：Ｂ出力）とを対応付けて、オレンジＢ現状特性ＩＢ−ΔＥＯＲを得る。なお、オレンジＲ現状特性ＩＲ−ΔＥＯＲ、オレンジＧ現状特性ＩＧ−ΔＥＯＲ、オレンジＢ現状特性ＩＢ−ΔＥＯＲは、それぞれ、８組のペアリングされたデータを有する。
【００７５】
次に、ＯＲ−ΔＥＯＲ特性取得部４５のＯＲ出力演算部５２は、オレンジ基準画像ＳＯＲの画像番号毎（色差ΔＥＯＲ毎）にオレンジ補色出力ＩＯＲを計算する。具体的に説明すると、例えば画像番号１（色差ΔＥＯＲ１）の場合、ＯＲ出力演算部５２は、ＯＲ重み付け係数格納部５３より、センサ出力ＩＧ＝ＩＲＯＲ１に対応するオレンジＲ係数ＷＲＯＲ（ＷＲＯＲ１）、オレンジＧ係数ＷＧＯＲ（ＷＧＯＲ１）、オレンジＢ係数ＷＢＯＲ（ＷＢＯＲ１）を読み出す。そしてＯＲ出力演算部５２は、色差ΔＥＯＲ１に対するオレンジ補色出力ＩＯＲを（１）式にしたがって算出する。また、ＯＲ出力演算部５２は、他の画像番号２〜８（色差ΔＥＯＲ２〜ΔＥＯＲ８）についても、同様の手法を用いてオレンジ補色出力ＩＯＲを計算する。
【００７６】
そして、ＯＲ出力演算部５２は、８個の色差ΔＥＯＲ１〜ΔＥＯＲ８と、上記計算によって得られた８個のオレンジ補色出力ＩＯＲとを対応付ける。次いで、ＯＲ出力演算部５２は、ペアリングされたＯＲ画像の白紙との色差（ＯＲ色差）とオレンジ補色出力ＩＯＲとの複数の交点を通過する曲線を作成し、図１７（ｂ）に示すオレンジ現状特性ＯＲ−ΔＥＯＲを得る。なお、オレンジ現状特性ＯＲ−ΔＥＯＲにおいて、ＯＲ色差が小さい領域ではＯＲ補色出力が高くなり、ＯＲ色差が大きい領域ではＯＲ補色出力が低くなる。
【００７７】
さらに、図１８は、上記ステップ１０３において現状特性把握部３２のＧＲ−ΔＥＧＲ特性取得部４６で実行される処理を説明するための図である。ここで、図１８（ａ）はグリーン基準画像ＳＧＲ、グリーン基準データＧＲ（Ｒ,Ｇ,Ｂ）におけるセンサ出力、および対応する重み付け係数Ｗの関係を示す図表であり、図１８（ｂ）はＧＲ−ΔＥＧＲ特性取得部４６から出力されるグリーン現状特性ＧＲ−ΔＥＧＲを例示している。
【００７８】
ＧＲ−ΔＥＧＲ特性取得部４６のΔＥＧＲ対応付け部６１は、基準値格納部４７から読み出したグリーン基準画像ＳＧＲを構成する８個の画像と白紙との色差ΔＥＧＲ１〜ΔＥＧＲ８（ＧＲ色差）と、Ｒセンサ１１Ｒによるグリーン基準画像ＳＧＲに対する８個の出力ＩＲ（具体的にはＩＲＧＲ１〜ＩＲＧＲ８：Ｒ出力）とを対応付けてグリーンＲ現状特性ＩＲ−ΔＥＧＲを得る。また、ΔＥＧＲ対応付け部６１は、色差ΔＥＧＲ１〜ΔＥＧＲ８と、Ｇセンサ１１Ｇによるグリーン基準画像ＳＧＲに対する８個の出力ＩＧ（具体的にはＩＧＧＲ１〜ＩＧＧＲ８：Ｇ出力）とを対応付けて、グリーンＧ現状特性ＩＧ−ΔＥＧＲを得る。さらに、ΔＥＧＲ対応付け部６１は、色差ΔＥＧＲ１〜ΔＥＧＲ８と、Ｂセンサ１１Ｂによるグリーン基準画像ＳＧＲに対する８個の出力ＩＢ（具体的にはＩＢＧＲ１〜ＩＢＧＲ８：Ｂ出力）とを対応付けて、グリーンＢ現状特性ＩＢ−ΔＥＧＲを得る。なお、グリーンＲ現状特性ＩＲ−ΔＥＧＲ、グリーンＧ現状特性ＩＧ−ΔＥＧＲ、グリーンＢ現状特性ＩＢ−ΔＥＧＲは、それぞれ、８組のペアリングされたデータを有する。
【００７９】
次に、ＧＲ−ΔＥＧＲ特性取得部４６のＧＲ出力演算部６２は、グリーン基準画像ＳＧＲの画像番号毎（色差ΔＥＧＲ毎）にグリーン補色出力ＩＧＲを計算する。具体的に説明すると、例えば画像番号１（色差ΔＥＧＲ１）の場合、ＧＲ出力演算部６２は、ＧＲ重み付け係数格納部６３より、センサ出力ＩＲ＝ＩＲＧＲ１に対応するグリーンＲ係数ＷＲＧＲ（ＷＲＧＲ１）、グリーンＧ係数ＷＧＧＲ（ＷＧＧＲ１）、グリーンＢ係数ＷＢＧＲ（ＷＢＧＲ１）を読み出す。そしてＧＲ出力演算部６２は、色差ΔＥＧＲ１に対するグリーン補色出力ＩＧＲを（２）式にしたがって算出する。また、ＧＲ出力演算部６２は、他の画像番号２〜８（色差ΔＥＧＲ２〜ΔＥＧＲ８）についても、同様の手法を用いてグリーン補色出力ＩＧＲを計算する。
【００８０】
そして、ＧＲ出力演算部６２は、８個の色差ΔＥＧＲ１〜ΔＥＧＲ８と、上記計算によって得られた８個のグリーン補色出力ＩＧＲとを対応付ける。次いで、ＧＲ出力演算部６２は、ペアリングされたＧＲ画像の白紙との色差（ＧＲ色差）とグリーン補色出力ＩＧＲとの複数の交点を通過する曲線を作成し、図１８（ｂ）に示すグリーン現状特性ＧＲ−ΔＥＧＲを得る。なお、グリーン現状特性ＧＲ−ΔＥＧＲにおいて、ＧＲ色差が小さい領域ではＧＲ補色出力が高くなり、ＧＲ色差が大きい領域ではＧＲ補色出力が低くなる。
【００８１】
また、図１９および図２０は、上記ステップ１０４およびステップ１０５において、スキャナ補正ＬＵＴ設定部２４のスキャナ補正ＬＵＴ決定部３３で実行される処理を説明するための図である。ここで、図１９（ａ）はＹスキャナ補正ＬＵＴ決定部７１で、図１９（ｂ）はＭスキャナ補正ＬＵＴ決定部７２で、図１９（ｃ）はＣスキャナ補正ＬＵＴ決定部７３で、それぞれ実行される処理を例示している。また、図２０（ａ）はＫスキャナ補正ＬＵＴ決定部７４で、図２０（ｂ）はＯＲスキャナ補正ＬＵＴ決定部７５で、図２０（ｃ）はＧＲスキャナ補正ＬＵＴ決定部７６で、それぞれ実行される処理を例示している。
【００８２】
Ｙスキャナ補正ＬＵＴ決定部７１には、現状特性把握部３２から図１９（ａ）（１）に示すイエロー現状特性Ｙ−Ｂが入力される。また、Ｙスキャナ補正ＬＵＴ決定部７１には、標準特性格納部３５から図１９（ａ）（２）に示すイエロー標準特性ＹＳも入力される。そして、Ｙスキャナ補正ＬＵＴ決定部７１は、これら両者に基づき、イエロー現状特性Ｙ−Ｂがイエロー標準特性ＹＳと一致するように入出力特性を対応付け、図１９（ａ）（３）に示すＹスキャナ補正プロファイルＹＬＳを作成する。なお、Ｙスキャナ補正プロファイルＹＬＳは、スキャナ１０におけるイエローの入力階調（Ｙ入力階調）と出力階調（Ｙ出力階調）とを１対１で対応付けた１次元のＬＵＴとなる。
【００８３】
Ｍスキャナ補正ＬＵＴ決定部７２には、現状特性把握部３２から図１９（ｂ）（１）に示すマゼンタ現状特性Ｍ−Ｇが入力される。また、Ｍスキャナ補正ＬＵＴ決定部７２には、標準特性格納部３５から図１９（ｂ）（２）に示すマゼンタ標準特性ＭＳも入力される。そして、Ｍスキャナ補正ＬＵＴ決定部７２は、これら両者に基づき、マゼンタ現状特性Ｍ−Ｇがマゼンタ標準特性ＭＳと一致するように入出力特性を対応付け、図１９（ｂ）（３）に示すＭスキャナ補正プロファイルＭＬＳを作成する。なお、Ｍスキャナ補正プロファイルＭＬＳは、スキャナ１０におけるマゼンタの入力階調（Ｍ入力階調）と出力階調（Ｍ出力階調）とを１対１で対応付けた１次元のＬＵＴとなる。
【００８４】
Ｃスキャナ補正ＬＵＴ決定部７３には、現状特性把握部３２から図１９（ｃ）（１）に示すシアン現状特性Ｃ−Ｒが入力される。また、Ｃスキャナ補正ＬＵＴ決定部７３には、標準特性格納部３５から図１９（ｃ）（２）に示すシアン標準特性ＣＳも入力される。そして、Ｃスキャナ補正ＬＵＴ決定部７３は、これら両者に基づき、シアン現状特性Ｃ−Ｒがシアン標準特性ＣＳと一致するように入出力特性を対応付け、図１９（ｃ）（３）に示すＣスキャナ補正プロファイルＣＬＳを作成する。なお、Ｃスキャナ補正プロファイルＣＬＳは、スキャナ１０におけるシアンの入力階調（Ｃ入力階調）と出力階調（Ｃ出力階調）とを１対１で対応付けた１次元のＬＵＴとなる。
【００８５】
Ｋスキャナ補正ＬＵＴ決定部７４には、現状特性把握部３２から図２０（ａ）（１）に示す黒現状特性Ｋ−Ｇが入力される。また、Ｋスキャナ補正ＬＵＴ決定部７４には、標準特性格納部３５から図２０（ａ）（２）に示す黒標準特性ＫＳも入力される。そして、Ｋスキャナ補正ＬＵＴ決定部７４は、これら両者に基づき、黒現状特性Ｋ−Ｇが黒標準特性ＫＳと一致するように入出力特性を対応付け、図２０（ａ）（３）に示すＫスキャナ補正プロファイルＫＬＳを作成する。なお、Ｋスキャナ補正プロファイルＫＬＳは、スキャナ１０における黒の入力階調（Ｋ入力階調）と出力階調（Ｋ出力階調）とを１対１で対応付けた１次元のＬＵＴとなる。
【００８６】
ＯＲスキャナ補正ＬＵＴ決定部７５には、現状特性把握部３２から図２０（ｂ）（１）に示すオレンジ現状特性ＯＲ−ΔＥＯＲが入力される。また、ＯＲスキャナ補正ＬＵＴ決定部７５には、標準特性格納部３５から図２０（ｂ）（２）に示すオレンジ標準特性ＯＲＳも入力される。そして、ＯＲスキャナ補正ＬＵＴ決定部７５は、これら両者に基づき、オレンジ現状特性ＯＲ−ΔＥＯＲがオレンジ標準特性ＯＲＳと一致するように入出力特性を対応付け、図２０（ｂ）（３）に示すＯＲスキャナ補正プロファイルＯＲＬＳを作成する。なお、ＯＲスキャナ補正プロファイルＯＲＬＳは、スキャナ１０におけるオレンジの入力階調（ＯＲ入力階調）と出力階調（ＯＲ出力階調）とを１対１で対応付けた１次元のＬＵＴとなる。
【００８７】
ＧＲスキャナ補正ＬＵＴ決定部７６には、現状特性把握部３２から図２０（ｃ）（１）に示すグリーン現状特性ＧＲ−ΔＥＧＲが入力される。また、ＧＲスキャナ補正ＬＵＴ決定部７６には、標準特性格納部３５から図２０（ｃ）（２）に示すグリーン標準特性ＧＲＳも入力される。そして、ＧＲスキャナ補正ＬＵＴ決定部７６は、これら両者に基づき、グリーン現状特性ＧＲ−ΔＥＧＲがグリーン標準特性ＧＲＳと一致するように入出力特性を対応付け、図２０（ｃ）（３）に示すＧＲスキャナ補正プロファイルＧＲＬＳを作成する。なお、ＧＲスキャナ補正プロファイルＧＲＬＳは、スキャナ１０におけるグリーンの入力階調（ＧＲ入力階調）と出力階調（ＧＲ出力階調）とを１対１で対応付けた１次元のＬＵＴとなる。
【００８８】
では次に、上述したスキャナキャリブレーションの後に行われるプリンタキャリブレーションについて、詳細に説明する。
図２１は、プリンタキャリブレーションにおける処理の流れを示すフローチャートである。
プリントシステムにおいて、複写機１に設けられたＵＩあるいはコンピュータ端末２からテストチャートＣＢの出力指示がなされると、プリンタ２０は、作像部２３を用いて用紙上にＹ、Ｍ、Ｃ、Ｋ、ＯＲ、ＧＲの各色のテスト画像を形成したテストチャートＣＢを出力する（ステップ２０１）。次に、出力されたテストチャートＣＢがスキャナ１０にセットされる。そして、スキャナ１０は、Ｒセンサ１１Ｒ、Ｇセンサ１１Ｇ、およびＢセンサ１１Ｂを用いてテストチャートＣＢの読み取りを行う（ステップ２０２）。テストチャートＣＢを読み取ることによって得られたスキャナ出力データＳ（Ｒ,Ｇ,Ｂ）は、プリンタ２０のプリンタ補正ＬＵＴ設定部２５に入力される。データ選択部８１は、スキャナ出力データＳ（Ｒ,Ｇ,Ｂ）からＹ、Ｍ、Ｃ、Ｋ、ＯＲ、ＧＲ各色のテストデータを選択する（ステップ２０３）。
【００８９】
次に、プリンタ補正ＬＵＴ決定部８２は、スキャナ補正ＬＵＴ記憶部３４からＹ、Ｍ、Ｃ、Ｋ、ＯＲ、ＧＲ各色のスキャナ補正プロファイルを取得する（ステップ２０４）。さらに、プリンタ補正ＬＵＴ決定部８２は、データ選択部８１から入力されてくるＹ、Ｍ、Ｃ、Ｋ、ＯＲ、ＧＲ各色のテストデータと、対応する色のスキャナ補正プロファイルとを用いて、Ｙ、Ｍ、Ｃ、Ｋ、ＯＲ、ＧＲ各色のプリンタ補正プロファイルを作成する（ステップ２０５）。その後、プリンタ補正ＬＵＴ記憶部８３は、得られたＹ、Ｍ、Ｃ、Ｋ、ＯＲ、ＧＲ各色のプリンタ補正プロファイルを記憶し（ステップ２０６）、一連の処理を完了する。
【００９０】
では、プリンタキャリブレーションにおける処理について、より具体的に説明する。
図２２および図２３は、上記ステップ２０３およびステップ２０４において、プリンタ補正ＬＵＴ設定部２５のプリンタ補正ＬＵＴ決定部８２で実行される処理を説明するための図である。ここで、図２２（ａ）はＹプリンタ補正ＬＵＴ決定部９１で、図２２（ｂ）はＭプリンタ補正ＬＵＴ決定部９２で、図２２（ｃ）はＣプリンタ補正ＬＵＴ決定部９３で、それぞれ実行される処理を例示している。また、図２３（ａ）はＫプリンタ補正ＬＵＴ決定部９４で、図２３（ｂ）はＯＲプリンタ補正ＬＵＴ決定部９５で、図２３（ｃ）はＧＲプリンタ補正ＬＵＴ決定部９６で、それぞれ実行される処理を例示している。
【００９１】
Ｙプリンタ補正ＬＵＴ決定部９１において、Ｙ対応付け部９１ａには、データ選択部８１から２４個のイエローテスト画像ＴＹに対応するイエローテストデータＢ（Ｙ）が入力される。また、Ｙ対応付け部９１ａには、作成階調格納部９７からイエローテスト画像ＴＹの作成階調（２４個）も入力される。そして、Ｙ対応付け部９１ａは両者を対応付けるとともに補完処理を実行し、図２２（ａ）（１）に示すイエローデータＹＤ１を作成する。
【００９２】
また、Ｙデータ補正部９１ｂには、Ｙ対応付け部９１ａから図２２（ａ）（１）に示すイエローデータＹＤ１が、スキャナ補正ＬＵＴ記憶部３４から図２２（ａ）（２）に示すＹスキャナ補正プロファイルＹＬＳが、それぞれ入力される。そして、Ｙデータ補正部９１ｂは、Ｙスキャナ補正プロファイルＹＬＳを用いてイエローデータＹＤ１の出力補正を行い、図２２（ａ）（３）に示す補正後のイエローデータＹＤ２を作成する。
その後、Ｙ−ＬＵＴ決定部９１ｃは、Ｙデータ補正部９１ｂから入力されてくる補正後のイエローデータＹＤ２においてＹ入力階調とＢ出力との関係がリニアになるように演算を行い、図２２（ａ）（４）に示すＹプリンタ補正プロファイルＹＬＰを作成する。なお、Ｙプリンタ補正プロファイルＹＬＰは、プリンタ２０におけるイエローの入力階調であるＹ入力階調と出力階調であるＹ出力階調とを１対１で対応付けた１次元のＬＵＴとなる。
【００９３】
Ｍプリンタ補正ＬＵＴ決定部９２において、Ｍ対応付け部９２ａには、データ選択部８１から２４個のマゼンタテスト画像ＴＭに対応するマゼンタテストデータＧ（Ｍ）が入力される。また、Ｍ対応付け部９２ａには、作成階調格納部９７からマゼンタテスト画像ＴＭの作成階調（２４個）も入力される。そして、Ｍ対応付け部９２ａは両者を対応付けるとともに補完処理を実行し、図２２（ｂ）（１）に示すマゼンタデータＭＤ１を作成する。
【００９４】
また、Ｍデータ補正部９２ｂには、Ｍ対応付け部９２ａから図２２（ｂ）（１）に示すマゼンタデータＭＤ１が、スキャナ補正ＬＵＴ記憶部３４から図２２（ｂ）（２）に示すＭスキャナ補正プロファイルＭＬＳが、それぞれ入力される。そして、Ｍデータ補正部９２ｂは、Ｍスキャナ補正プロファイルＭＬＳを用いてマゼンタデータＭＤ１の出力補正を行い、図２２（ｂ）（３）に示す補正後のマゼンタデータＭＤ２を作成する。
その後、Ｍ−ＬＵＴ決定部９２ｃは、Ｍデータ補正部９２ｂから入力されてくる補正後のマゼンタデータＭＤ２においてＭ入力階調とＧ出力との関係がリニアになるように演算を行い、図２２（ｂ）（４）に示すＭプリンタ補正プロファイルＭＬＰを作成する。なお、Ｍプリンタ補正プロファイルＭＬＰは、プリンタ２０におけるマゼンタの入力階調であるＭ入力階調と出力階調であるＭ出力階調とを１対１で対応付けた１次元のＬＵＴとなる。
【００９５】
Ｃプリンタ補正ＬＵＴ決定部９３において、Ｃ対応付け部９３ａには、データ選択部８１から２４個のシアンテスト画像ＴＣに対応するシアンテストデータＲ（Ｃ）が入力される。また、Ｃ対応付け部９３ａには、作成階調格納部９７からシアンテスト画像ＴＣの作成階調（２４個）も入力される。そして、Ｃ対応付け部９３ａは両者を対応付けるとともに補完処理を実行し、図２２（ｃ）（１）に示すシアンデータＣＤ１を作成する。
【００９６】
また、Ｃデータ補正部９３ｂには、Ｃ対応付け部９３ａから図２２（ｃ）（１）に示すシアンデータＣＤ１が、スキャナ補正ＬＵＴ記憶部３４から図２２（ｃ）（２）に示すＣスキャナ補正プロファイルＣＬＳが、それぞれ入力される。そして、Ｃデータ補正部９３ｂは、Ｃスキャナ補正プロファイルＣＬＳを用いてシアンデータＣＤ１の出力補正を行い、図２２（ｃ）（３）に示す補正後のシアンデータＣＤ２を作成する。
その後、Ｃ−ＬＵＴ決定部９３ｃは、Ｃデータ補正部９３ｂから入力されてくる補正後のシアンデータＣＤ２においてＣ入力階調とＲ出力との関係がリニアになるように演算を行い、図２２（ｃ）（４）に示すＣプリンタ補正プロファイルＣＬＰを作成する。なお、Ｃプリンタ補正プロファイルＣＬＰは、プリンタ２０におけるシアンの入力階調であるＣ入力階調と出力階調であるＣ出力階調とを１対１で対応付けた１次元のＬＵＴとなる。
【００９７】
Ｋプリンタ補正ＬＵＴ決定部９４において、Ｋ対応付け部９４ａには、データ選択部８１から２４個の黒テスト画像ＴＫに対応する黒テストデータＧ（Ｋ）が入力される。また、Ｋ対応付け部９４ａには、作成階調格納部９７から黒テスト画像ＴＫの作成階調（２４個）も入力される。そして、Ｋ対応付け部９４ａは両者を対応付けるとともに補完処理を実行し、図２３（ａ）（１）に示す黒データＫＤ１を作成する。
【００９８】
また、Ｋデータ補正部９４ｂには、Ｋ対応付け部９４ａから図２３（ａ）（１）に示す黒データＫＤ１が、スキャナ補正ＬＵＴ記憶部３４から図２３（ａ）（２）に示すＫスキャナ補正プロファイルＫＬＳが、それぞれ入力される。そして、Ｋデータ補正部９４ｂは、Ｋスキャナ補正プロファイルＫＬＳを用いて黒データＫＤ１の出力補正を行い、図２２（ａ）（３）に示す補正後の黒データＫＤ２を作成する。
その後、Ｋ−ＬＵＴ決定部９４ｃは、Ｋデータ補正部９４ｂから入力されてくる補正後の黒データＫＤ２においてＫ入力階調とＧ出力との関係がリニアになるように演算を行い、図２２（ａ）（４）に示すＫプリンタ補正プロファイルＫＬＰを作成する。なお、Ｋプリンタ補正プロファイルＫＬＰは、プリンタ２０における黒の入力階調であるＫ入力階調と出力階調であるＫ出力階調とを１対１で対応付けた１次元のＬＵＴとなる。
【００９９】
ＯＲプリンタ補正ＬＵＴ決定部９５において、ＯＲ対応付け部９５ａには、データ選択部８１から２４個のオレンジテスト画像ＴＯＲに対応するオレンジテストデータＲ,Ｇ,Ｂ（ＯＲ）が入力される。また、ＯＲ対応付け部９５ａには、作成階調格納部９７からオレンジテスト画像ＴＯＲの作成階調（２４個）も入力される。そして、ＯＲ対応付け部９５ａは両者を対応付けるとともに補完処理を実行し、図２３（ｂ）（１）に示すオレンジデータＯＲＤ１を作成する。
【０１００】
また、ＯＲデータ補正部９５ｂには、ＯＲ対応付け部９５ａから図２３（ｂ）（１）に示すオレンジデータＯＲＤ１が、スキャナ補正ＬＵＴ記憶部３４から図２３（ｂ）（２）に示すＯＲスキャナ補正プロファイルＯＲＬＳが、それぞれ入力される。そして、ＯＲデータ補正部９５ｂは、ＯＲスキャナ補正プロファイルＯＲＬＳを用いてオレンジデータＯＲＤ１の出力補正を行い、図２３（ｂ）（３）に示す補正後のオレンジデータＯＲＤ２を作成する。
その後、ＯＲ−ＬＵＴ決定部９５ｃは、ＯＲデータ補正部９５ｂから入力されてくる補正後のオレンジデータＯＲＤ２においてＯＲ入力階調とＲ出力、Ｇ出力、Ｂ出力それぞれとの関係がリニアになるように演算を行い、図２３（ｂ）（４）に示すＯＲプリンタ補正プロファイルＯＲＬＰを作成する。なお、ＯＲプリンタ補正プロファイルＯＲＬＰは、プリンタ２０におけるＯＲの入力階調であるＯＲ入力階調と出力階調であるＯＲ出力階調とを１対１で対応付けた１次元のＬＵＴとなる。
【０１０１】
ＧＲプリンタ補正ＬＵＴ決定部９６において、ＧＲ対応付け部９６ａには、データ選択部８１から２４個のグリーンテスト画像ＴＧＲに対応するグリーンテストデータＲ,Ｇ,Ｂ（ＧＲ）が入力される。また、ＧＲ対応付け部９６ａには、作成階調格納部９７からグリーンテスト画像ＴＧＲの作成階調（２４個）も入力される。そして、ＧＲ対応付け部９６ａは両者を対応付けるとともに補完処理を実行し、図２３（ｃ）（１）に示すグリーンデータＧＲＤ１を作成する。
【０１０２】
また、ＧＲデータ補正部９５ｂには、ＧＲ対応付け部９６ａから図２３（ｃ）（１）に示すグリーンデータＧＲＤ１が、スキャナ補正ＬＵＴ記憶部３４から図２３（ｃ）（２）に示すＧＲスキャナ補正プロファイルＧＲＬＳが、それぞれ入力される。そして、ＧＲデータ補正部９６ｂは、ＧＲスキャナ補正プロファイルＧＲＬＳを用いてグリーンデータＧＲＤ１の出力補正を行い、図２３（ｃ）（３）に示す補正後のグリーンデータＧＲＤ２を作成する。
その後、ＧＲ−ＬＵＴ決定部９６ｃは、ＧＲデータ補正部９６ｂから入力されてくる補正後のグリーンデータＧＲＤ２においてＧＲ入力階調とＲ出力、Ｇ出力、Ｂ出力それぞれとの関係がリニアになるように演算を行い、図２３（ｃ）（４）に示すＧＲプリンタ補正プロファイルＧＲＬＰを作成する。なお、ＧＲプリンタ補正プロファイルＧＲＬＰは、プリンタ２０におけるＧＲの入力階調であるＧＲ入力階調と出力階調であるＧＲ出力階調とを１対１で対応付けた１次元のＬＵＴとなる。
【０１０３】
そして、このようにして作成され、プリンタ補正ＬＵＴ記憶部８３に記憶されたＹ、Ｍ、Ｃ、Ｋ、ＯＲ、ＧＲ各色のプリンタ補正プロファイルは、プリンタ２０において画像形成動作を行う際に階調補正部２２に読み込まれる。そして、階調補正部２２では、各色のプリンタ補正プロファイルを用いて、入力されてくるイエローデータＹ１、マゼンタデータＭ１、シアンデータＣ１、黒データＫ１、オレンジデータＯＲ１、およびグリーンデータＧＲ１に対して階調補正を行って出力する。これにより、作像部２３によって出力される画像の濃度の非線形性を補正することが可能になる。
【０１０４】
なお、本実施の形態では、複写機１のプリンタ２０において各色のスキャナ補正ＬＵＴおよび各色のプリンタ補正ＬＵＴの作成を行っていたが、これに限られるものではなく、例えばコンピュータ端末２においてこれら各種ＬＵＴを作成するようにしてもよい。
【図面の簡単な説明】
【０１０５】
【図１】本実施の形態が適用されるプリントシステムの構成例を示す図である。
【図２】（ａ）はスキャナ調整用チャートの構成例を、（ｂ）はテストチャートの構成例を、それぞれ示す図である。
【図３】スキャナの構成例を示すブロック図である。
【図４】プリンタの構成例を示すブロック図である。
【図５】スキャナ補正ＬＵＴ設定部の構成例を示すブロック図である。
【図６】（ａ）〜（ｃ）はスキャナ調整用チャートをスキャナで読み取った際のスキャナ出力データを模式的に示した図である。
【図７】現状特性把握部の構成例を示す図である。
【図８】基準値格納部に格納される各色の基準値を例示した図である。
【図９】（ａ）はＯＲ−ΔＥＯＲ特性取得部の構成例を示す図であり、（ｂ）は、オレンジＲ係数、オレンジＧ係数、オレンジＢ係数を説明するための図である。
【図１０】（ａ）はＧＲ−ΔＥＧＲ特性取得部の構成例を示す図であり、（ｂ）は、グリーンＲ係数、グリーンＧ係数、グリーンＢ係数を説明するための図である。
【図１１】スキャナ補正ＬＵＴ決定部の構成例を示す図である。
【図１２】プリンタ補正ＬＵＴ設定部の構成例を示すブロック図である。
【図１３】（ａ）〜（ｃ）はテストチャートをスキャナで読み取った際のスキャナ出力データを模式的に示す図である。
【図１４】プリンタ補正ＬＵＴ決定部の構成例を示す図である。
【図１５】スキャナキャリブレーションにおける処理の流れを示すフローチャートである。
【図１６】スキャナ補正ＬＵＴ設定部の現状特性把握部で実行される処理を説明するための図である。
【図１７】現状特性把握部のＯＲ−ΔＥＯＲ特性取得部で実行される処理を説明するための図である。
【図１８】現状特性把握部のＧＲ−ΔＥＧＲ特性取得部で実行される処理を説明するための図である。
【図１９】スキャナ補正ＬＵＴ設定部のスキャナ補正ＬＵＴ決定部で実行される処理を説明するための図（その１）である。
【図２０】スキャナ補正ＬＵＴ設定部のスキャナ補正ＬＵＴ決定部で実行される処理を説明するための図（その２）である。
【図２１】プリンタキャリブレーションにおける処理の流れを示すフローチャートである。
【図２２】プリンタ補正ＬＵＴ設定部のプリンタ補正ＬＵＴ決定部で実行される処理を説明するための図（その１）である。
【図２３】プリンタ補正ＬＵＴ設定部のプリンタ補正ＬＵＴ決定部で実行される処理を説明するための図（その２）である。
【符号の説明】
【０１０６】
１…複写機、２…コンピュータ端末、３…ネットワーク、１０…スキャナ、２０…プリンタ、２１…色変換部、２２…階調補正部、２３…作像部、２４…スキャナ補正ＬＵＴ設定部、２５…プリンタ補正ＬＵＴ設定部
【図１】
2008141532.tif 000003
【図２】
2008141532.tif 000004
【図３】
2008141532.tif 000005
【図４】
2008141532.tif 000006
【図５】
2008141532.tif 000007
【図６】
2008141532.tif 000008
【図７】
2008141532.tif 000009
【図８】
2008141532.tif 000010
【図９】
2008141532.tif 000011
【図１０】
2008141532.tif 000012
【図１１】
2008141532.tif 000013
【図１２】
2008141532.tif 000014
【図１３】
2008141532.tif 000015
【図１４】
2008141532.tif 000016
【図１５】
2008141532.tif 000017
【図１６】
2008141532.tif 000018
【図１７】
2008141532.tif 000019
【図１８】
2008141532.tif 000020
【図１９】
2008141532.tif 000021
【図２０】
2008141532.tif 000022
【図２１】
2008141532.tif 000023
【図２２】
2008141532.tif 000024
【図２３】
2008141532.tif 000025